(57)【特許請求の範囲】
【請求項１】
発光により演出を行う発光演出手段を備えた遊技機において、
前記発光演出手段は、
点灯時に所定方向へ向けて光を発する発光手段と、
前記発光手段の光照射方向前側に位置するよう該発光手段の光軸上に配置され、当該発光手段の光が入射する凸レンズと、
前記凸レンズを前記発光手段の光軸周りに回転させる回転作動手段と、
前記回転作動手段に接続されて前記発光手段の光照射方向前側に位置し、光透過性を有する円盤部を有する支持ベースとを備え、
前記凸レンズは、前記発光手段の光軸に対して凸レンズの光軸が傾斜した状態で交差するよう設けられて、前記回転作動手段の作動に伴い凸レンズが回転することで、当該凸レンズを透過した光が発光手段の光軸周りに回転変位するよう構成されると共に、
前記支持ベースには、前記円盤部の前面において前記発光手段の光照射方向前側に整列する位置に、当該発光手段の光を径方向へ反射して円盤部の内部を透過させる円錐状凹部が形成されると共に、前記円盤部の後面において前記円錐状凹部を中心とする同心位置に、当該円盤部の内部を透過した光を前記凸レンズへ向けて反射し得る環状凹部が形成された
ことを特徴とする遊技機。
【請求項２】
前記支持ベースには、前記円盤部の前面から前方へ突出する支持壁部が前記発光手段と前後に整列する位置を中心とした円筒状に形成されると共に、当該支持壁部の前端部が当前記円盤部の径方向に変位するにつれて前後方向へ傾斜する傾斜状に形成されて、
前記凸レンズにおいて平坦に形成された後面を前記支持壁部の前端部に当接させることで、前記発光手段の光軸に対して凸レンズの光軸が交差する姿勢で前記凸レンズが支持ベースに支持され、
前記凸レンズおよび支持ベースの支持壁部の外周囲を囲繞すると共に前記凸レンズが露出する開口部が形成されたレンズカバーが前記支持ベースに取り付けられて、当該支持ベースとレンズカバーとを組み付けた際に、当該レンズカバーにおける開口部の開口縁部と前記支持壁部の前端部との間に凸レンズの周縁部が挟持されるよう構成され、
前記回転作動手段を駆動した際に前記支持ベースおよびレンズカバーと共に前記凸レンズが回転するよう構成された請求項１記載の遊技機。
【請求項３】
前記回転作動手段は、回転中心に形成された軸孔に軸部が挿通されて駆動源の駆動に伴い軸部を中心として回転するギア部材を有し、
前記軸部には、軸方向に貫通する貫通孔が形成されて、該貫通孔の一方の開口側に前記発光手段が臨むと共に、該貫通孔の他方の開口側に前記凸レンズが臨むよう配設されて、該貫通孔を透過した光が凸レンズに照射されるよう構成された請求項１または２記載の遊技機。
【請求項４】
前記ギア部材を複数備えると共に、各ギア部材に対応するよう前記発光手段、凸レンズおよび支持ベースの夫々が設けられ、
前記ギア部材の１つに位置検出片が径方向外方へ延出するよう形成されると共に、当該位置検出片に、位置検出センサにより検出される切欠部が形成され、
前記位置検出片が形成されていない前記ギア部材の夫々に、径方向外方へ延出する指標片が形成されると共に、当該指標片の夫々に対して、ギア部材毎に異なる数の識別部が形成され、
前記軸部が形成されたケース体に、各軸部が挿通される対応のギア部材に形成された前記切欠部または前記識別部と一致する形態で被識別部が形成されている請求項３記載の遊技機。
【請求項５】
前記発光手段を複数備えると共に、各発光手段に対応して前記凸レンズを備え、各凸レンズの光軸が相互に異なる方向へ向くよう構成され、
前記回転作動手段の作動に伴い前記複数の凸レンズが同期して回転するよう構成された請求項１〜４の何れか一項に記載の遊技機。
【発明の詳細な説明】
【技術分野】
【０００１】
この発明は、発光により演出を行う発光演出手段を備えた遊技機に関するものである。
【背景技術】
【０００２】
代表的な遊技機であるパチンコ機は、パチンコ球(遊技球)が流下可能な遊技領域が前側に設けられた遊技盤と、この遊技盤の後側に配設され、各種機器の設置基盤となる設置部材とを備えている。また、パチンコ機では、設置部材の後側に液晶式等の図柄表示装置が配設され、設置部材に開設された表示開口、遊技盤に開設された装着口および遊技領域の略中央位置に配設された枠状装飾体の窓口を介して図柄表示装置の表示部が前側に臨むようになっている。そして、遊技盤の盤面(遊技領域)に打ち出されたパチンコ球が、枠状装飾体の下方位置に配設した始動入賞装置に入賞することにより、図柄表示装置の表示部で図柄変動演出が行われるようになっている。そして、パチンコ機には、ＬＥＤを備えた発光演出装置が遊技盤に配設され、前記図柄表示装置の図柄変動演出に合わせてＬＥＤを点灯したり点滅したりすることで、演出効果の向上を図ることが行われている(例えば、特許文献１,２参照)。
【先行技術文献】
【特許文献】
【０００３】
【特許文献１】特開２００７−２２２５１３号公報
【特許文献２】特開２００８−２００２１７号公報
【発明の概要】
【発明が解決しようとする課題】
【０００４】
ところで、前記発光演出装置では、ＬＥＤと、ＬＥＤの前側を覆う光透過部とを有し、ＬＥＤを発光させることで光透過部が発光演出される。この光透過部は、ＬＥＤの発光方向の真っ直ぐ前側に設けられており、広範囲に光を照射しようとすると、多くのＬＥＤが必要となってコストの増加を招く。また、特許文献２のように、所要の動作を行う可動体に発光装置を備えた可動演出装置を配設し、該可動体を図柄表示装置で行われる遊技演出に合わせて動作させることにより、視覚的な演出効果を向上させて遊技の興趣を高めている。しかしながら、このように前記可動体と共に発光装置が一体で移動する構成においては、該発光装置と遊技機裏側に配設した基板とを接続する配線処理が煩雑になり、製造コストを押し上げる要因ともなる。
【０００５】
すなわち本発明は、従来の技術に係る遊技機に内在する前記課題に鑑み、これを好適に解決するべく提案されたものであって、簡単な構成で発光による装飾・演出効果を向上し得る発光演出手段を備えた遊技機を提供することを目的とする。
【課題を解決するための手段】
【０００６】
前記課題を解決し、所期の目的を達成するため、本発明の請求項１に係る発明は、
発光により演出を行う発光演出手段(50)を備えた遊技機において、
前記発光演出手段(50)は、
点灯時に所定方向へ向けて光を発する発光手段(57a)と、
前記発光手段(57a)の光照射方向前側に位置するよう該発光手段(57a)の光軸上に配置され、当該発光手段(57a)の光が入射する凸レンズ(80)と、
前記凸レンズ(80)を前記発光手段(57a)の光軸周りに回転させる回転作動手段(61)と、
前記回転作動手段(61)に接続されて前記発光手段(57a)の光照射方向前側に位置し、光透過性を有する円盤部(72)を有する支持ベース(71)とを備え、
前記凸レンズ(80)は、前記発光手段(57a)の光軸に対して凸レンズ(80)の光軸が傾斜した状態で交差するよう設けられて、前記回転作動手段(61)の作動に伴い凸レンズ(80)が回転することで、当該凸レンズ(80)を透過した光が発光手段(57a)の光軸周りに回転変位するよう構成されると共に、
前記支持ベース(71)には、前記円盤部(72)の前面において前記発光手段(57a)の光照射方向前側に整列する位置に、当該発光手段(57a)の光を径方向へ反射して円盤部(72)の内部を透過させる円錐状凹部(72a)が形成されると共に、前記円盤部(72)の後面において前記円錐状凹部(72a)を中心とする同心位置に、当該円盤部(72)の内部を透過した光を前記凸レンズ(80)へ向けて反射し得る環状凹部(72b)が形成されたことを要旨とする。
【０００７】
このように、発光手段の光軸に対して凸レンズの光軸が傾斜した状態で交差するよう凸レンズを設けて、回転作動手段の作動に伴い凸レンズを発光手段の光軸周りに回転させることで、当該凸レンズを透過した光を回転変位させ得る。すなわち、凸レンズを回転させることで、多くの発光手段を設けることなく広範囲に光を照射し得るようになる。また、発光手段自体を動かす必要がないから、煩わしい配線処理を行う必要がなく、作業効率や生産効率の向上に繋がる。しかも、可動体の揺動に合わせて発光手段が移動する構成ではなく、凸レンズの回転に伴い光の照射方向が回転変位することで、今までにない装飾・演出効果を実現し得る。また、円盤部に照射される発光手段の光を円錐状凹部および環状凹部により反射することで、円盤部を全体的に明輝させ得る。
【０００８】
請求項２に係る発明は、
前記支持ベース(71)には、前記円盤部(72)の前面から前方へ突出する支持壁部(75)が前記発光手段(57a)と前後に整列する位置を中心とした円筒状に形成されると共に、当該支持壁部(75)の前端部が当前記円盤部(72)の径方向に変位するにつれて前後方向へ傾斜する傾斜状に形成されて、
前記凸レンズ(80)において平坦に形成された後面を前記支持壁部(75)の前端部に当接させることで、前記発光手段(57a)の光軸に対して凸レンズ(80)の光軸が交差する姿勢で前記凸レンズ(80)が支持ベース(71)に支持され、
前記凸レンズ(80)および支持ベース(71)の支持壁部(75)の外周囲を囲繞すると共に前記凸レンズ(80)が露出する開口部(77a)が形成されたレンズカバー(77)が前記支持ベース(71)に取り付けられて、当該支持ベース(71)とレンズカバー(77)とを組み付けた際に、当該レンズカバー(77)における開口部(77a)の開口縁部と前記支持壁部(75)の前端部との間に凸レンズ(80)の周縁部が挟持されるよう構成され、
前記回転作動手段(61)を駆動した際に前記支持ベース(71)およびレンズカバー(77)と共に前記凸レンズ(80)が回転するよう構成されたことを要旨とする。
このように、回転作動手段を駆動した際に、凸レンズを支持している支持ベースを回転させるようにしたことで、回転時における凸レンズの光軸のズレを防止でき、光の照射方向を安定して回転変位させることができる。また、凸レンズを囲うレンズカバーの外周壁を、該凸レンズが臨む開口部側の端部から発光手段に近接するにつれて拡開させることで、該発光手段の光を最大に凸レンズへ集めることができる。また、レンズカバーが傾斜した姿勢に保持されるから、光の照射方向を明確に示すことができ、装飾・演出効果の向上に寄与し得る。
【０００９】
請求項３に係る発明は、
前記回転作動手段(61)は、回転中心に形成された軸孔(61a)に軸部(52a〜52c)が挿通されて駆動手段(55)の駆動に伴い軸部を中心として回転するギア部材(61)を有し、
前記軸部(52a〜52c)には、軸方向に貫通する貫通孔(53)が形成されて、該貫通孔(53)の一方の開口側に前記発光手段(57a)が臨むと共に、該貫通孔(53)の他方の開口側に前記凸レンズ(80)が臨むよう配設されて、該貫通孔(53)を透過した光が凸レンズ(80)に照射されるよう構成されたことを要旨とする。
このように、ギア部の回転中心となる軸部に形成した貫通孔の一方の開口側に発光手段を臨ませたことで、該発光手段の光が外部に漏れることなく凸レンズに集中させることが可能となり、凸レンズを透過して回転変位する光を明瞭にすることができ、装飾・演出効果の向上に寄与し得る。
【００１０】
請求項４に係る発明は、
前記ギア部材(61)を複数備えると共に、各ギア部材(61)に対応するよう前記発光手段(57a)、凸レンズ(80)および支持ベース(71)の夫々が設けられ、
前記ギア部材(61)の１つに位置検出片(62)が径方向外方へ延出するよう形成されると共に、当該位置検出片(62)に、位置検出センサ(56)により検出される切欠部(62a)が形成され、
前記位置検出片(62)が形成されていない前記ギア部材(61)の夫々に、径方向外方へ延出する指標片(63)が形成されると共に、当該指標片(63)の夫々に対して、ギア部材(61)毎に異なる数の識別部(63a)が形成され、
前記軸部(52a〜52c)が形成されたケース体(51)に、各軸部(52a〜52c)が挿通される対応のギア部材(61)に形成された前記切欠部(62a)または前記識別部(63a)と一致する形態で被識別部(51b)が形成されていることを要旨とする。
このように、位置検出片に形成された切欠部が識別部としての機能を有し、各識別部および被識別部が一致するよう各軸部にギア部材を取り付けることで、各ギア部材を正しい位置に取り付け得る。
【００１１】
請求項５に係る発明は、
前記発光手段(57a)を複数備えると共に、各発光手段(57a)に対応して前記凸レンズ(80)を備え、各凸レンズ(80)の光軸が相互に異なる方向へ向くよう構成され、
前記回転作動手段(61)の作動に伴い前記複数の凸レンズ(80)が同期して回転するよう構成されたことを要旨とする。
このように、光軸が相互に異なる方向へ向く複数の凸レンズを回転作動手段の作動に伴って同期して回転させるようにしたから、光の照射方向を一度に複雑に変化させることができ、装飾・演出効果の向上を図り得る。
【発明の効果】
【００１２】
本発明に係る遊技機によれば、簡単な構成で光の照射方向を回転変位させることができ、発光による装飾・演出効果を高め得る。
【図面の簡単な説明】
【００１３】
【図１】本発明の実施例に係るパチンコ機の正面図である。
【図２】実施例に係る遊技盤を示す正面図である。
【図３】実施例に係る遊技盤、背面装飾板および設置部材を、第２〜第４演出装置を取り外した状態で示す斜視図である。
【図４】実施例に係る設置部材を示す正面図である。
【図５】(a)は実施例に係る第１演出装置を示す正面図であり、(b)は斜視図である。
【図６】実施例に係る第１演出装置の分解斜視図である。
【図７】実施例に係るレンズ保持部材および凸レンズの分解斜視図である。
【図８】実施例に係る第１演出装置の駆動機構を背面から視た状態で示す概略図である。
【図９】図５(a)のＡ−Ａ線断面図である。
【図１０】図５(a)のＢ−Ｂ線断面図である。
【図１１】(a)は右側の第２演出装置の正面図であり、(b)は背面図である。
【図１２】実施例に係る右側の第２演出装置における伸縮リンク機構が伸張した状態を示す。
【図１３】実施例に係る右側の第２演出装置と遊技盤との関係を示す要部拡大図であって、伸縮リンク機構が伸張した状態を示すと共に、伸縮リンク機構が折り畳まれた状態の可動体位置を破線で示す。
【図１４】右側の第２演出装置における駆動機構を示す背面図であって、(a)は伸縮リンク機構が折り畳まれた状態を示し、(b)は伸縮リンク機構が伸張した状態を示す。
【図１５】実施例に係る左側の第２演出装置を背面から視た状態で示す斜視図であって、伸縮リンク機構が伸張した状態を示す。
【図１６】(a)は第３演出装置の可動部材が第１位置にある状態を示す正面図であって、(b)は(a)の状態における第３演出装置の駆動機構を示す背面図である。
【図１７】(a)は第３演出装置の可動部材が第２位置にある状態を示す正面図であって、(b)は(a)の状態における第３演出装置の駆動機構を示す背面図である。
【図１８】第３演出装置における可動部材、第３ケース体の分解斜視図である。
【図１９】第３演出装置の背面図である。
【図２０】図１９におけるＣ−Ｃ線断面図である。
【図２１】(a)は第４演出装置を示す正面図であり、(b)は右側面図である。
【図２２】実施例に係る第４演出装置と遊技盤との関係を示す要部拡大図であって、可動演出体が揺動した状態を示すと共に、可動体装飾部が初期位置にある状態を破線で示す。
【図２３】図２におけるＤ−Ｄ線における第４演出装置の配設位置を拡大して示す断面図である。
【図２４】第４演出装置を背面から視た分解斜視図である。
【図２５】第４演出装置の駆動機構を示す正面図である。
【図２６】(a)は実施例に係る発光装飾部を示す正面図であり、(b)は(a)のＥ−Ｅ線断面図である。
【図２７】発光装飾部を示す分解斜視図であって、(a)は正面から視た状態を示し、(b)は背面から視た状態を示す。
【図２８】実施例に係る設置部材に対する発光装飾部の配設状態を示す断面図である。
【図２９】変更例に係る第１演出装置を図５(a)のＢ−Ｂ線に相当する位置で横断した断面図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、図１に示すようにパチンコ機を前側(遊技者側)から見た状態で指称する。
【実施例】
【００１５】
(パチンコ機１０について)
実施例に係るパチンコ機１０は、図１に示すように、前後に開口する矩形枠状に形成されて遊技店の図示しない設置枠台に固定される固定枠としての外枠１１の開口前面側に、後述する遊技盤２０(図１または図２参照)を着脱可能に保持する本体枠としての中枠１２が開閉および着脱可能に組み付けられて、該遊技盤２０の裏側に、各種図柄を変動表示可能な図柄表示装置１８が着脱可能に配設されている。また、前記中枠１２の前面側には、前記遊技盤２０を透視保護するガラス板等の透視保護体(図示せず)を備えた装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。また、前記中枠１２の右下方位置には、該中枠１２に配設された打球発射装置(図示せず)を作動する操作ハンドル１６が設けられており、該操作ハンドル１６の操作により打球発射装置が作動することで、前記上球受け皿１４に貯留されたパチンコ球が前記遊技盤２０に向けて発射されるようになっている。なお、実施例では、前記図柄表示装置１８として、各種図柄を表示可能な液晶パネルを収容ケースに収容した液晶表示装置が採用されるが、これに限られるものではなく、ドラム式の表示装置やドットマトリックス式の表示装置、７セグメントディスプレイ、その他の各種図柄を停止および変動表示可能な表示装置を採用し得る。また、前記上球受け皿１４は、前記前枠１３と別体に形成して中枠１２に対して開閉可能に組み付けるようにしてもよく、また上下の球受け皿の一方を省略して１つの球受け皿のみ設ける構成であってもよい。
【００１６】
(遊技盤２０について)
前記遊技盤２０は、図２に示すように、所定板厚の略矩形状に形成されたアクリルやポリカーボネート等の透明な合成樹脂材で形成された透明板であって、該遊技盤２０の表面に、略円形状に湾曲した案内レール２１が設けられて、該案内レール２１によりパチンコ球が流下可能な遊技領域２０ａが画成され、前記打球発射装置から発射されたパチンコ球が遊技領域２０ａ内に打ち出されるようになっている。また遊技盤２０には、前後に貫通する装着口(図示せず)が前記遊技領域２０ａ内に複数開設されて、各装着口に対して各種部品が前側から取り付けられると共に、遊技領域２０ａの最下部位置には、該遊技領域２０ａに打ち出されたパチンコ球を排出するアウト口２２が開設されている。また、前記遊技盤２０には、前記遊技領域２０ａ内に多数の遊技釘が植設されており、遊技領域２０ａを流下するパチンコ球が遊技釘に接触することでパチンコ球の流下方向を不規則に変化させたり、パチンコ球を一定方向に誘導するようになっている。なお、前記装着口の形成数や大きさは、遊技盤２０に対して取り付けられる各種部品の個数や配設位置等に応じて適宜決定される。
【００１７】
ここで、前記遊技盤２０には、前記遊技領域２０ａの略中央に、前後に開口する表示窓口２５ａが形成された枠状装飾体２５(図２参照)が取り付けられており、該枠状装飾体２５の表示窓口２５ａを介して図柄表示装置１８の表示部１８ａが遊技盤２０の前面側に臨むよう構成されている。前記枠状装飾体２５は、前記装着口に沿って延在する環状に形成されると共に、上縁部から左右両側縁部に亘り、遊技盤２０の前面より前方に突出する庇状部２５ｂが連続的に設けられており、前記遊技領域２０ａに打ち出されたパチンコ球を庇状部２５ｂに沿って枠状装飾体２５の左右側部へ案内することで、該パチンコ球が表示窓口２５ａを横切って流下するのを規制している。なお、枠状装飾体２５には、前記表示窓口２５ａの開口下縁側にパチンコ球が左右に転動可能なステージ２５ｃが配設されると共に、該表示窓口２５ａの左側部に、遊技領域２０ａに開口して該遊技領域２０ａを流下するパチンコ球を取込んでステージ２５ｃに案内する球導入部２５ｄが設けられている。なお、前記ステージ２５ｃには、始動入賞装置２３の始動入賞口(具体的には始動入賞口)３１ａの鉛直上方位置に、該始動入賞口に向けてパチンコ球を排出する排出部２５ｅが設けられている。また、前記枠状装飾体２５に形成された前記ステージ２５ｃの後端部には、表示窓口２５ａの開口内側に延在する透明な球規制壁部２５ｆが設けられており、ステージ２５ｃを転動するパチンコ球が表示窓口２５ａを介して遊技盤２０の裏側に落下するのを防止している。また、前記球規制壁部２５ｆの上端部には、前方へ向けて延出する屋根状部２５ｇが形成されており、遊技領域２０ａを流下するパチンコ球やステージ２５ｃを転動するパチンコ球が跳ねて球規制壁部２５ｆを飛び越えるのを防止している。
【００１８】
また、前記遊技盤２０には、図２に示すように、遊技領域２０ａを流下するパチンコ球が入賞可能な始動入賞装置２３や特別入賞装置２４が取り付けられている。そして、前記始動入賞装置２３の入賞口にパチンコ球が入賞することで、前記図柄表示装置１８に図柄を変動表示する図柄変動演出が展開され、該図柄変動演出の結果、図柄表示装置１８に所定の図柄組み合わせ(例えば同一図柄の３つ揃い等)で図柄が確定的に停止表示されると、特別遊技(大当り)が発生して前記特別入賞装置２４が開放し、遊技者が多数の賞球を獲得可能な機会が与えられるようになっている。実施例では、前記遊技盤２０において、枠状装飾体２５の下方位置(左右中央の下方位置)に前記始動入賞装置２３が配設され、枠状装飾体２５の右下方位置に前記特別入賞装置２４が配設されている。すなわち、実施例のパチンコ機１０は、特別遊技の発生時に枠状装飾体２５の右側の遊技領域２０ａをパチンコ球が流下するよう操作ハンドル１６を操作するようになっている。
【００１９】
(設置部材３０について)
また、前記遊技盤２０の裏面には、前記図柄表示装置１８が取り付けられる設置部材３０(図３または図４参照)が設けられている。前記設置部材３０は、略矩形状に形成されて前記遊技盤２０に対向する対向面部３０ａと、該対向面部３０ａの外周縁部から前方へ延出する外周壁部３０ｂとから前方へ開口する箱状に形成されて、外周壁部３０ｂの前端部を遊技盤２０の裏側に当接させた状態で固定されている。そして、前記設置部材３０には、前記対向面部３０ａの裏側に前記図柄表示装置１８が着脱可能に取り付けられると共に、該対向面部３０ａにおける前記枠状装飾体２５の表示窓口２５ａと前後に並んだ位置に、前後に開口する表示開口部３０ｃ(図４参照)が開設されており、該設置部材３０の表示開口部３０ｃに臨ませた図柄表示装置１８の表示部１８ａが枠状装飾体２５の表示窓口２５ａを介して遊技盤２０の前側から視認し得るようになっている。また、前記設置部材３０における対向面部３０ａの前面側(すなわち、遊技盤２０と設置部材３０により画成される設置空間３１内)には、前記表示開口部３０ｃを囲繞するように各種の演出装置や発光装飾部が配設されている。すなわち、前記設置部材３０は、図柄表示装置１８や演出装置等のパチンコ機１０の遊技演出に関わる各種演出装置の設置手段として機能している。
【００２０】
実施例では、前記表示開口部３０ｃの開口下側に第１演出装置５０が配設されると共に該第１演出装置５０を挟む左右に第２演出装置１００,１０１が配設され、該表示開口部３０ｃの開口左部に第３演出装置１４０が配設されている。また、前記表示開口部３０ｃの開口右下部には、前記右側の第２演出装置１０１と重なる位置に第４演出装置１８０が配設されている。更に、前記表示開口部３０ｃの開口上部には、該表示開口部３０ｃを左右に横断する上部演出装置２００が配設されると共に、該上部演出装置２００の上方に隣接する位置に、発光装飾部２１０が配設されている。
【００２１】
また、図３に示すように、前記遊技盤２０と設置部材３０との間には、該遊技盤２０の裏側を覆う板状の背面装飾板３３が配設されている。前記背面装飾板３３には、前記設置部材３０に配設された各種演出装置を囲繞するように前後に開口する装飾窓３３ａが開設されている。そして、前記装飾窓３３ａは、前記枠状装飾体２５の表示窓口２５ａと前後に対応する位置から遊技盤２０の左側部に亘って大きく開口するよう開設されており、該背面装飾板３３の装飾窓３３ａを介して各種演出装置が枠状装飾体２５の表示窓口２５ａに臨んで遊技盤２０の前面側に露出すると共に、遊技盤２０の裏側に対向して遊技盤２０を介して前面側に露出するようになっている。具体的には、前記設置部材３０において前記表示開口部３０ｃの開口左側に配設された前記第３演出装置１４０が前記装飾窓３３ａを介して遊技盤２０の裏側に対向し、透明な遊技盤２０を介して第３演出装置１４０を透視し得るようになっている。
【００２２】
(第１演出装置５０)
図５〜図１０に示すように、前記第１演出装置５０は、前記設置部材３０に取り付けられる第１ケース体５１と、該第１ケース体５１に配設された第１ＬＥＤ基板５７に設けられ、前方(所定方向)へ向けて光を発するＬＥＤ(発光手段)５７ａと、光照射方向前側に位置するよう該ＬＥＤ５７ａの光軸Ｌ１上に配置され、当該ＬＥＤ５７ａの光が入射する凸レンズ８０と、該凸レンズ８０をＬＥＤ５７ａの光軸Ｌ１周りに回転させるレンズ保持部材(回転作動手段)７０とを備えている。そして、前記第１演出装置５０は、図３、図４に示すように、前記表示開口部３０ｃの開口下部側に位置するよう前記設置部材３０に配設されて、前記枠状装飾体２５に形成された球規制壁部２５ｆと前後に第１演出装置５０が重なるよう構成されている。ここで、前記凸レンズ８０は、該凸レンズ８０の光軸Ｌ２が前記ＬＥＤ５７ａの光軸Ｌ１に対して傾斜した状態で交差するよう構成されており(図１０参照)、該ＬＥＤ５７ａから凸レンズ８０を透過する光が屈折するよう構成されている。すなわち、実施例の第１演出装置５０では、第１駆動モータ５５の駆動に伴いレンズ保持部材７０を作動することで、前記ＬＥＤ５７ａから照射されて凸レンズ８０を透過した光が、該ＬＥＤ５７ａの光軸周りに回転変位するよう構成されている。また、実施例では、前記凸レンズ８０として、片面が平坦に形成された平凸レンズ８０が採用されている。
【００２３】
(第１ケース体５１について)
前記第１ケース体５１は、図５、図６に示すように、後方へ開口する横長の箱状に形成されて、前記設置部材３０の対向面部３０ａにおける前記表示開口部３０ｃの開口下縁部に第１ケース体５１の上端部が整合するよう配設されている。そして、前記第１ケース体５１における後方開口の内側に前記第１ＬＥＤ基板５７が取り付けられている。また、前記第１ケース体５１の前面５１ａには、左右に離間する複数箇所(実施例では３箇所)に、前後に貫通する光透過孔(貫通孔)５３が開設された軸部５２ａ〜５２ｃが形成されると共に、前記第１ＬＥＤ基板５７の前面において各光透過孔５３と整列する位置に、前記ＬＥＤ５７ａが夫々実装されている。すなわち、前記ＬＥＤ５７ａの光は、対応する光透過孔５３を介して第１ケース体５１の前側(具体的にはレンズ保持部材７０の後述する支持ベース７１)へ照射されるようになっている。なお、以下の説明では、前記第１ケース体５１に対する形成位置に応じて前記各軸部５２ａ〜５２ｃを、中軸部５２ａ、左軸部５２ｂおよび右軸部５２ｃと指称して区別する場合がある。
【００２４】
また、前記第１ケース体５１には、図６、図９に示すように、第１ケース体５１の前面５１ａより先方へ突出する第１モータ設置部５４が前面下部位置に設けられている。前記第１モータ設置部５４には、前後に貫通する駆動軸挿通孔５４ａが開設されており、該駆動軸挿通孔５４ａを介して駆動軸５５ａを前側から挿通した第１駆動モータ５５が第１モータ設置部５４の前面側に配設されている。また、前記第１モータ設置部５４における突出部分には側方へ開口するギア開口部５４ｂが開設されており、前記第１駆動モータ５５の駆動軸５５ａに取り付けられた駆動ギア５５ｂがギア開口部５４ｂを介して第１ケース体５１の前面５１ａに露出するようになっており、該第１ケース体５１の前面５１ａに回転可能に支持された従動ギア６７に駆動ギア５５ｂが噛合するよう構成されている。また、前記第１ケース体５１の前面５１ａには、前記レンズ保持部材７０の原位置を検出する第１位置検出センサ５６が取り付けられている。なお、前記第１位置検出センサ５６としては、発光部と受光部とを備えたフォトセンサが採用されている。
【００２５】
また、前記第１ケース体５１には、該第１ケース体５１の前面５１ａおよび前記表示開口部３０ｃに臨む上面を被覆する前面装飾カバー５８が配設されて、該前面装飾カバー５８が前記枠状装飾体２５の球規制壁部２５ｆの後方に対向するようになっている。また、前記前面装飾カバー５８には、左右に離間する複数箇所(実施例では３箇所)に、前記光透過孔５３と前後に整列するよう露出孔５８ａが開設されており、該露出孔５８ａを介して前記凸レンズ８０が前面装飾カバー５８の前側に露出するよう構成されている。
【００２６】
(レンズ保持部材７０について)
図６、図７に示すように、前記レンズ保持部材７０は、前記第１ケース体５１に形成された前記軸部５２ａ〜５２ｃに回転可能に支持される作動ギア部材(回転作動手段、ギア部材)６１と、該作動ギア部材６１に取り付けられると共に前記凸レンズ８０を保持するレンズ保持部材７０とを備えている。ここで、前記レンズ保持部材７０(作動ギア部材６１およびレンズ保持部材７０)は、前記第１ケース体５１の軸部５２ａ〜５２ｃに対応して複数(実施例では３つ)設けられており、各レンズ保持部材７０が対応の軸部５２ａ〜５２ｃを中心に回転し得るよう構成されている。ここで、前記作動ギア部材６１には、中心位置に前後に貫通する軸孔６１ａが形成されており、該軸孔６１ａに対応の軸部５２ａ〜５２ｃが挿通されるようになっている。すなわち、前記軸部５２ａ〜５２ｃに形成された各光透過孔５３が前記作動ギア部材６１の前方で開口しており、前記ＬＥＤ５７ａの光が対応の光透過孔５３を介して作動ギア部材６１の前側まで透過するようになっている。
【００２７】
前記各作動ギア部材６１の前面には、図６に示すように、前記軸孔６１ａを挟む径方向に離間する位置に、前方へ開口する嵌合孔６１ｂが形成されており、該嵌合孔６１ｂを介して前記レンズ保持部材７０が作動ギア部材６１に固定されるようになっている。前記作動ギア部材６１には、前記嵌合孔６１ｂの一方(図７(a)では左側の嵌合孔６１ｂ)に、該嵌合孔６１ｂから径方向(図７(a)の上方)および前方へ開口する鍵溝６１ｃが形成されている。ここで、前記作動ギア部材６１に形成される鍵溝６１ｃの形成位置は、該作動ギア部材６１が取り付けられる軸部５２ａ〜５２ｃに応じて異ならせてある。具体的には、中軸部５２ａに支持される作動ギア部材６１には、前記嵌合孔６１ｂから時計回り方向に開口するよう鍵溝６１ｃが形成される一方、左右の軸部５２ａ〜５２ｃに支持される作動ギア部材６１には、嵌合孔６１ｂから反時計回り方向に開口するよう鍵溝６１ｃが形成されている。これにより、各作動ギア部材６１に取り付けられるレンズ保持部材７０(支持ベース７１)を区別し得るようになっている。
【００２８】
また、図６、図９、図１０に示すように、前記作動ギア部材６１の前側には、前記第１ケース体５１の左右の幅と略一致する大きさの矩形板状に形成された挟持板６５が配置されており、第１ケース体５１との間に各作動ギア部材６１が位置する様態で、当該挟持板６５が第１ケース体５１に固定されるようになっている。すなわち、前記第１ケース体５１と挟持板６５との間に各作動ギア部材６１が挟持されており、各作動ギア部材６１の軸部５２ａ〜５２ｃからの脱落を防止している。ここで、前記挟持板６５には、前記各作動ギア部材６１と対応する位置に前後に貫通する円形開口部６５ａが設けられており、該円形開口部６５ａを介して前記光透過孔５３および嵌合孔６１ｂの夫々が挟持板６５の前側に臨むようになっている。なお、前記各作動ギア部材６１には、前面側に摺接リブ６１ｄが環状に設けられており、前記挟持板６５における円形開口部６５ａの開口縁部に、各作動ギア部材６１の摺接リブ６１ｄが摺接するようになっている。
【００２９】
また、図８に示すように、前記第１ケース体５１における前記左軸部５２ｂと中軸部５２ａとの間および右軸部５２ｃと中軸部５２ａとの間の夫々には、該左軸部５２ｂおよび中軸部５２ａの夫々に支持された作動ギア部材６１を接続する接続ギア６８が回転可能に支持されると共に、該右軸部５２ｃおよび中軸部５２ａの夫々に支持された作動ギア部材６１を接続する接続ギア６８が回転可能に支持されている。すなわち、実施例の第１演出装置５０では、前記第１駆動モータ５５を駆動することで、各軸部５２ａ〜５２ｃに支持された作動ギア部材６１(凸レンズ８０)が同一方向へ同期して回転するようになっている。なお、前記各作動ギア部材６１の夫々が同一歯数で形成されると共に、各接続ギア６８の夫々についても同一歯数で形成されている
【００３０】
図６、図８に示すように、前記左軸部５２ｂに支持される作動ギア部材６１には、前端部から径方向外方へ延出する第１位置検出片６２が略全周に亘って設けられており、前記第１位置検出センサ５６の発光部と受光部との間に第１位置検出片６２が臨むよう構成されている。前記第１位置検出片６２は、前後に開口する切欠部６２ａが１箇所に形成されており、前記左軸部５２ｂに支持される作動ギア部材６１の回転に伴って、第１位置検出片６２の切欠部６２ａが第１位置検出センサ５６の発光部と受光部との間に移動して検出状態が切り替わることにより、該作動ギア部材６１(凸レンズ８０)の原位置が検出されるようになっている。
【００３１】
また、図６、図７に示すように、前記中軸部５２ａに支持される作動ギア部材６１および右軸部５２ｃに支持される作動ギア部材６１の夫々には、前端部から径方向外方へ延出すると共に識別部６３ａが設けられた指標片６３が形成されている。前記識別部６３ａは、指標片６３の前後に貫通する孔であって、作動ギア部材６１毎に異なる数の識別部６３ａが設けられている。具体的には、前記中軸部５２ａに支持される作動ギア部材６１には、１つの識別部６３ａが形成され、前記右軸部５２ｃに支持される作動ギア部材６１には、２つの識別部６３ａが形成されている。そして、前記第１ケース体５１には、前記各軸部５２ａ〜５２ｃの上方位置に被識別部５１ｂが夫々設けられている。ここで、前記第１ケース体５１の被識別部５１ｂは、各軸部５２ａ〜５２ｃに設けられた識別部６３ａの形態と一致する形態で形成されており、前記中軸部５２ａの上方位置には、前後に貫通する１つの孔が被識別部５１ｂとして形成されると共に、前記右軸部５２ｃの上方位置には、前後に貫通する２つの孔が被識別部５１ｂとして形成されている。また、前記第１ケース体５１における前記左軸部５２ｂの上方位置には、前後に貫通する１つの孔が被識別部５１ｂとして形成されており、該左軸部５２ｂの上方位置に形成された被識別部５１ｂが、前記第１位置検出片６２に形成された切欠部６２ａと一致するよう構成されている。すなわち、前記第１位置検出片６２に形成された切欠部６２ａは、識別部６３ａとしての機能を有するものである。前記識別部６３ａおよび被識別部５１ｂは、各軸部５２ａ〜５２ｃに対して取り付けられる作動ギア部材６１を識別するものであって、識別部６３ａおよび被識別部５１ｂが一致するよう各軸部５２ａ〜５２ｃに作動ギア部材６１を取り付けることで、各作動ギア部材６１を正しい位置に取り付け得るようになっている。具体的には、前記識別部６３ａおよび被識別部５１ｂの一方に挿入したピン等の治具を、識別部６３ａおよび被識別部５１ｂの他方に挿入することにより、識別部６３ａおよび被識別部５１ｂが一致するよう各軸部５２ａ〜５２ｃに作動ギア部材６１が取り付けられる。
【００３２】
(レンズ保持部材７０について)
前記レンズ保持部材７０は、図７に示すように、前記作動ギア部材６１に連結される支持ベース７１と、該支持ベース７１の前端部に取り付けられて前記前面装飾カバー５８の露出孔５８ａに臨むレンズカバー７７とから構成されて、当該支持ベース７１とレンズカバー７７との間に前記凸レンズ８０が挟持されるようになっている。すなわち、前記レンズ保持部材７０に対応した作動ギア部材６１が回転することで、該レンズ保持部材７０に保持された前記凸レンズ８０が対応の軸部５２ａ〜５２ｃ(ＬＥＤ５７ａの光軸Ｌ１)を中心として一体的に回転するよう構成される。
【００３３】
前記支持ベース７１は、図７に示すように、前記作動ギア部材６１(挟持板６５の円形開口部６５ａ)の前側に位置する円盤部７２と、該円盤部７２の後面から後方へ突出し、作動ギア部材６１の嵌合孔６１ｂに嵌合する嵌合突部７３と、該円盤部７２の前面から前方へ突出して前記凸レンズ８０を支持する支持壁部７５とを備えており、挟持板６５の円形開口部６５ａに挿通した嵌合突部７３を嵌合孔６１ｂに前側から嵌合してネジ止めすることで、作動ギア部材６１と対応の支持ベース７１とが一体的に固定されるようになっている。図７に示すように、前記各支持ベース７１の嵌合突部７３には、各支持ベース７１に対応する作動ギア部材６１に形成された鍵溝６１ｃに対応する位置に、径方向へ突出する鍵突部７３ａが形成されている。すなわち、作動ギア部材６１の鍵溝６１ｃに整合する鍵突部７３ａが形成された支持ベース７１のみを組み合わせ得るようになっている。実施例では、支持ベース７１における支持壁部７５の傾斜突出端部を上方に位置させた状態で(図７参照)、中軸部５２ａに支持される作動ギア部材６１に対応する支持ベース７１には、左側の嵌合突部７３に対して上方へ突出するよう鍵突部７３ａが形成され、左右の軸部５２ａ〜５２ｃに支持される作動ギア部材６１に対応する支持ベース７１には、左側の嵌合突部７３に対して下方へ突出するよう鍵突部７３ａが形成されている。これにより、各軸部５２ａ〜５２ｃに支持される作動ギア部材６１と支持ベース７１との組み合わせが特定されるようになっている。
【００３４】
また、前記作動ギア部材６１に対して支持ベース７１を固定した状態では、前記ＬＥＤ５７ａ(光透過孔５３)が円盤部７２の中心と前後に整列するよう構成されて(図９、図１０参照)、該ＬＥＤ５７ａの光が支持ベース７１の円盤部７２に照射されるようになっている。また、前記支持ベース７１は、少なくとも光透過性を有する部材により前記円盤部７２が形成されており、前記光透過孔５３を介して照射される光が円盤部７２を透過し得るようになっている。なお、実施例では、支持ベース７１の全体が光透過性を有する部材により形成されている。
【００３５】
前記円盤部７２(支持ベース７１)の前面には、前記ＬＥＤ５７ａと前後に整列する位置(円盤部７２の中心)に円錐状凹部７２ａが形成されており、前記光透過孔５３を介して円錐状凹部７２ａに照射されるＬＥＤ５７ａからの光の一部を径方向へ反射して円盤部７２の内部を透過させるよう構成されている。また、前記円盤部７２(支持ベース７１)の後面には、円錐状凹部７２ａを中心とする同心位置に複数の環状凹部７２ｂが形成されており、円盤部７２の内部を透過した光を前方へ向けて反射し得るよう構成されている。すなわち、前記光透過孔５３を介して円盤部７２の中心位置に集中的に照射されるＬＥＤ５７ａの光を、前記円錐状凹部７２ａおよび環状凹部７２ｂにより反射することで、円盤部７２を全体的に明輝させ得るようになっている。
【００３６】
前記支持ベース７１の支持壁部７５は、図７、図９、図１０に示すように、前記ＬＥＤ５７ａと前後に整列する位置を中心とした円筒状に前方へ突出するよう形成されると共に、該支持壁部７５の前端部が円盤部７２の径方向へ変位するにつれて前後方向へ傾斜する傾斜状に形成されている。言い換えると、前記支持壁部７５の前端部は、前記円盤部７２に近接する端部から円盤部７２の中心を挟む反対側へ径方向に変位するにつれて前方へ突出するよう傾斜している。そして、前記凸レンズ８０の平坦な後面を、前記支持ベース７１(支持壁部７５)の前端部に当接させることで、該凸レンズ８０の光軸Ｌ２が前記ＬＥＤ５７ａの光軸Ｌ１に対して交差する傾斜姿勢で支持されるようになっている。すなわち、前記作動ギア部材６１を回転させた際に、前記凸レンズ８０の光軸Ｌ２が前記ＬＥＤ５７ａの光軸Ｌ１に対して傾斜(交差)する姿勢のまま凸レンズ８０が回転することで、当該凸レンズ８０を透過して屈折した光がＬＥＤ５７ａの光軸Ｌ１周りに回転変位するようになっている。
【００３７】
また、実施例では、前記各作動ギア部材６１に対して対応の支持ベース７１が同じ姿勢となるよう取り付けられている。すなわち、各支持ベース７１に支持された凸レンズ８０の光軸Ｌ２は、対応するＬＥＤ５７ａの光軸Ｌ１に対して同じ角度で交差すると共に、各支持ベース７１に支持された凸レンズ８０の光軸Ｌ２同士も略並行になるよう構成されている(図１０参照)。従って、前記第１駆動モータ５５を駆動して各作動ギア部材６１が回転すると、横方向に並んだ３連の凸レンズ８０の光軸Ｌ２が相互に平行な姿勢を保ったまま各凸レンズ８０が対応するＬＥＤ５７ａの光軸Ｌ１周りに同一回転方向で回転変位するようになっている。
【００３８】
(レンズカバー７７)
前記レンズカバー７７は、図７に示すように、前後に貫通する筒状に形成されて、該レンズカバー７７の内側に前記凸レンズ８０および支持ベース７１の支持壁部７５が収容されて、当該凸レンズ８０および支持壁部７５の外周囲がレンズカバー７７で囲繞されるようになっている。そして、前記レンズカバー７７の前方開口が、前記凸レンズ８０を前方へ露出させるレンズ開口部７７ａ(開口部)として機能するようになっている。ここで、前記レンズカバー７７の後方開口は、前記支持ベース７１における円盤部７２が嵌合する形状に形成されると共に、該レンズカバー７７のレンズ開口部７７ａは、前記凸レンズ８０の直径よりも僅かに小さな寸法に形成されており、支持ベース７１の支持壁部７５の前端部に凸レンズ８０を当接した状態で支持ベース７１とレンズカバー７７とを組み付けた際に、レンズカバー７７におけるレンズ開口部７７ａの開口縁部と支持壁部７５との間に凸レンズ８０の周縁部が挟持されるようになっている。
【００３９】
ここで、前記レンズカバー７７は、図７に示すように、前記レンズ開口部７７ａ側の端部から前記ＬＥＤ５７ａ側の端部(支持ベース７１の円盤部７２側の端部)に近接するにつれて、断面開口が拡開する(すなわちレンズ開口部７７ａに近づくにつれて縮径する)ラッパ状に形成されている。すなわち、前記円盤部７２の全体に拡散されたＬＥＤ５７ａの光をレンズカバー７７により凸レンズ８０へ集光するように形成されている。また、前記レンズカバー７７におけるレンズ開口部７７ａが形成されている開口面は、前記凸レンズ８０の光軸Ｌ２に略直交するようになっており、これによりレンズカバー７７が凸レンズ８０の光軸Ｌ２方向に開口するようになっている。すなわち、前記作動ギア部材６１と一体的に回転するレンズカバー７７のレンズ開口部７７ａが前記凸レンズ８０の光軸Ｌ２方向に開口することで、回転変位する光の照射方向が明確に示されるようにしている。
【００４０】
(第２演出装置１００,１０１について)
前記第２演出装置１００,１０１は、図３、図４に示すように、前記表示開口部３０ｃの開口下部側において前記第１演出装置５０を挟む両側に隣接位置するよう前記設置部材３０に配設されて、該左右の第２演出装置１００,１０１が前記枠状装飾体２５に形成された球規制壁部２５ｆと前後に重なっている。ここで、前記第１演出装置５０の左右に隣接する第２演出装置１００,１０１の基本的な構成は共通しているので、以下において左側に位置する第２演出装置１００を基準にして説明して、右側の第２演出装置１０１については特に異なる部分についてのみ説明するものとする。ここで、前記設置部材３０に形成される前記表示開口部３０ｃは略矩形状に形成されており、該表示開口部３０ｃの左下隅角部(隅角部)に左側の第２演出装置１００が配設されると共に、当該表示開口部３０ｃの右下隅角部(隅角部)に右側の第２演出装置１０１が配設されている。
【００４１】
図１１〜図１４に示すように、前記左側の第２演出装置１００は、前記設置部材３０に取り付けられる第２ケース体１０２と、該第２ケース体１０２に配設された第２演出装置１００,１０１の駆動手段としての第２駆動モータ１０４と、当該第２ケース体１０２に伸縮可能に配設され、第２駆動モータ１０４の駆動に伴い折畳み状態および伸張状態に変化する伸縮リンク機構１１０と、該伸縮リンク機構１１０における伸張端部側に配設された可動体１２５とを備えている。ここで、第２演出装置１００,１０１では、前記伸縮リンク機構１１０が折畳み状態にある場合に前記可動体１２５が前記球規制壁部２５ｆと前後に重なるよう位置し(図１３参照)、該伸縮リンク機構１１０が伸張状態にある場合に可動体１２５が前記図柄表示装置１８の表示部１８ａの前側に重なるように位置するよう構成される。すなわち、前記伸縮リンク機構１１０の伸張動作に伴い前記図柄表示装置１８の表示部１８ａの前側に重なるよう第２演出装置１００,１０１の可動体１２５が表示開口部３０ｃの内方向で、かつ表示部１８ａの前側に沿って横方向へ弧状に移動するようになっている。
【００４２】
(第２ケース体１０２について)
前記第２ケース体１０２は、図１１に示すように、前後のケースから内部に機構空間１０２ａが画成された箱状に形成されており、該第２ケース体１０２の前面下部位置に形成した第２モータ設置部１０３に前記第２駆動モータ１０４が設置されている。前記第２駆動モータ１０４は、前記第２モータ設置部１０３に開設された前後に貫通する駆動軸挿通孔を介して機構空間１０２ａ内に駆動軸を前側から挿通した状態で設置されると共に、該機構空間１０２ａ内において駆動軸に駆動ギア１０５が取り付けられている。そして、前記第２ケース体１０２における機構空間１０２ａ内に、前記駆動ギア１０５を伸縮リンク機構１１０に接続する従動ギア１０６が設けられている。なお、具体的には、前記駆動ギア１０５から複数(実施例では２つ)の従動ギア１０６が上方側に連続して噛合するよう設けられている。また、前記駆動ギア１０５に隣接する従動ギア１０６には、径方向外方へ向けて延出する第２位置検出片１０７ａが設けられた位置検出ギア１０７が噛合するよう構成されている。そして、前記伸縮リンク機構１１０が折畳み状態にある場合に、前記第２ケース体１０２に配設された第２位置検出センサ１０８が第２位置検出片１０７ａを検出するよう構成されている。なお、前記第２位置検出センサ１０８としては、発光部と受光部とを備えたフォトセンサが採用されている。
【００４３】
また、前記第２ケース体１０２には、図１１(b)に示すように、該第２ケース体１０２の上端部側に、上方および側方(実施例では第１演出装置５０から離間する側方)へ機構空間１０２ａを開口する開口部(以下においてリンク接続開口部１０２ｂという)が開設されており、該リンク接続開口部１０２ｂに前記伸縮リンク機構１１０が配設されている。なお、実施例において前記リンク接続開口部１０２ｂは、上方および第１演出装置５０から離間する左側方(右側の第２演出装置１０１では右側方)へ開口するよう形成されている。また、前記第２ケース体１０２におけるリンク接続開口部１０２ｂが開設される開口面は、開口下端部から開口上端部へ向けて第１演出装置５０側に傾斜する傾斜面とされている。
【００４４】
(伸縮リンク機構１１０について)
前記伸縮リンク機構１１０は、図１４に示すように、井桁状に連結された複数(実施例では４つ)のアームから構成されて、前記第２ケース体１０２に回転可能に支持されるアームの一方が前記従動ギア１０６と噛合して第２駆動モータ１０４の駆動より伸張変形するようになっている。具体的には、前記伸縮リンク機構１１０は、前記第２ケース体１０２に対して回転可能に連結された第１リンク杆１１１と、該第２ケース体１０２に対して回転可能に連結されて第１リンク杆１１１に対して平行な第２リンク杆１１２と、当該第１リンク杆１１１および第２リンク杆１１２の夫々に対して回転可能に連結された第３リンク杆１１３と、該第３リンク杆１１３に対して回転可能に連結されると共に第１リンク杆１１１および第２リンク杆１１２に対して平行な第４リンク杆１１４とを備えている。前記第１リンク杆１１１は、前記リンク接続開口部１０２ｂの開口上端部側に第１支軸１１５を介して一方側端部が第２ケース体１０２に回転可能に枢支されており、該第１支軸１１５に支持される端部に、前記従動ギア１０６と噛合するギア部１１１ａが形成されている。そして、前記リンク接続開口部１０２ｂの開口下端部側に、第２支軸１１６を介して前記第２リンク杆１１２の一方側端部が第２ケース体１０２に回転可能に枢支されている。ここで、前記第２リンク杆１１２は、前記第１リンク杆１１１の略半分の長さで形成されている。
【００４５】
前記第３リンク杆１１３は、図１４に示すように、前記第１リンク杆１１１の中間位置に設けられた第３支軸１１７および前記第２リンク杆１１２の他方側端部に設けられた第４支軸１１８を介して第１リンク杆１１１および第２リンク杆１１２の夫々に回転可能に枢支されている、すなわち、第３リンク杆１１３は、前記第１支軸１１５および第２支軸１１６を結ぶ線分に対して平行となる関係で第１リンク杆１１１および第２リンク杆１１２に支持されており、第１〜第３リンク杆１１３により平行リンク機構を形成している。ここで、前記第３リンク杆１１３は、前記第１リンク杆１１１と同じ長さ寸法で形成されて、該第３リンク杆１１３の中間位置に第３支軸１１７が位置すると共に、第３リンク杆１１３の一方側端部に第４支軸１１８が位置するようになっている。そして、前記第３リンク杆１１３の他方側端部に設けられた第５支軸１１９を介して前記第４リンク杆１１４の一方側端部が回転可能に枢支されている。
【００４６】
前記可動体１２５は、前記第１リンク杆１１１の他方側端部に設けられた第６支軸１２０および前記第４リンク杆１１４の他方側端部に設けられた第７支軸１２１を介して第１リンク杆１１１および第４リンク杆１１４の夫々に回転可能に枢支されている(図１４参照)。前記第４リンク杆１１４は、前記第２リンク杆１１２と同じ長さ寸法で形成されており、前記第３支軸１１７および第６支軸１２０の軸間距離と、第５支軸１１９および第７支軸１２１の軸間距離とが等しくなるよう設定されている。また、前記可動体１２５は、前記第１リンク杆１１１および第４リンク杆１１４が平行となる関係で両アームに支持されており、第１リンク杆１１１、第３リンク杆１１３、第４リンク杆１１４および可動体１２５により平行リンク機構を形成するようになっている。言い換えると、前第２ケース体１０２に設けられる第１支軸１１５および第２支軸１１６を結ぶ線分と、前記可動体１２５に設けられる第６支軸１２０および第７支軸１２１を結ぶ線分とが平行になっている。
【００４７】
このように、前記伸縮リンク機構１１０は、第１〜第４リンク杆１１１〜１１４および可動体１２５により複数(実施例では２つ)の平行リンク機構を連ねた構造とされている。そして、前記伸縮リンク機構１１０の折畳み状態では、前記第１リンク杆１１１および第２リンク杆１１２が対応する第１支軸１１５および第２支軸１１６から下方傾斜するよう延在すると共に、伸縮リンク機構１１０が伸張状態に変位するにつれて、第１リンク杆１１１および第２リンク杆１１２が対応する第１支軸１１５および第２支軸１１６から起立するよう回転変位する。すなわち、前記伸縮リンク機構１１０が折畳み状態から伸張状態に変位するにつれて、前記第６支軸１２０および第７支軸１２１の夫々が第１演出装置５０側でかつ上方へ平行移動するよう構成されており、これにより前記可動体１２５が図柄表示装置１８の表示部１８ａより下方に退避して前記球規制壁部２５ｆと前後に重なる位置から、前記図柄表示装置１８の表示部１８ａの前側に重なる位置に移動するようになっている。
【００４８】
また、図１１、図１４に示すように、前記可動体１２５は、前記伸縮リンク機構１１０よりも前側に位置する状態で前記第１リンク杆１１１および第４リンク杆１１４に連結されている。そして、伸縮リンク機構１１０の折畳み状態において、当該伸縮リンク機構１１０が可動体１２５の後方に位置して被覆されるようになっており、該伸縮リンク機構１１０を前側から視認し得ないよう構成されている。また、前記第２ケース体１０２には、前記伸縮リンク機構１１０の折畳み状態において可動体１２５の前側を覆う第１遮蔽板１２３が設けられている。すなわち、前記球規制壁部２５ｆの後方には、前記第１遮蔽板１２３が直接対向して、該球規制壁部２５ｆを透過して可動体１２５を前側から視認されないよう構成されている。すなわち、第２演出装置１００,１０１では、前記伸縮リンク機構１１０の折畳み状態において前記可動体１２５が前記遊技盤２０(球規制壁部２５ｆ)の裏側に隠れるよう配設され、該伸縮リンク機構１１０の伸張動作に伴い表示窓口２５ａに臨んだ前記図柄表示装置１８の表示部１８ａに可動体１２５が重なる内方向へ可動体１２５が移動すると共に、該表示部１８ａに沿って横方向へ弧状に平行移動するようになっている。なお、右側の第２演出装置１０１に関しては、該第２演出装置１０１の前側に重なるよう配設される第４演出装置１８０(後述)に前記第１遮蔽板１２３が備えられており、伸縮リンク機構１１０の折畳み状態において第４演出装置１８０に配設された第２遮蔽板１８２で可動体１２５の前側が覆われるようになっている。
【００４９】
前記可動体１２５は、図１１に示すように、前記伸縮リンク機構１１０に取り付けられる固定板１２６と、該固定板１２６の前面側に配設され、後方へ開口する箱状に形成されると共に前面側に光を透過する光透過部を有する装飾部１２７とを備え、該装飾部１２７の後方開口を固定板１２６で閉塞するようになっている。そして、前記固定板１２６と装飾部１２７との間に画成される空間内に、前方へ光を照射するＬＥＤ(図示せず)を備えた第２ＬＥＤ基板１２８が配設されており、該第２ＬＥＤ基板１２８のＬＥＤを発光することで、可動体１２５の前面が発光装飾されるようになっている。
【００５０】
図１１、図１２、図１４に示すように、前記左側の第２演出装置１００では、前記可動体１２５の下部位置から左側方へ第１フラットケーブル１３０が引き出されており、該第１フラットケーブル１３０が前記第２ケース体１０２の前面に配設された中継基板(図示せず)に接続されると共に、演出制御装置が当該中継基板に接続されるようになっている。前記中継基板に接続された第１フラットケーブル１３０は、前記第２ケース体１０２の前面に沿って引き回されて該第２ケース体１０２の左端に配設された第１ケーブル保持部材１３１により保持されて、該第１ケーブル保持部材１３１による保持部分から上方へ延出したケーブルが前記可動体１２５に接続されている。ここで、前記第１ケーブル保持部材１３１による第１フラットケーブル１３０の保持部は、前記折畳み状態にある伸縮リンク機構１１０よりも左側に位置するよう構成されている。すなわち、前記左側の第２演出装置１００では、前記伸縮リンク機構１１０を伸張状態から折畳み状態へ変位した際に、前記可動体１２５の下部位置から左側方へ引き出されたケーブル部分により第１フラットケーブル１３０が伸縮リンク機構１１０から離れる方向へ撓んで、伸縮リンク機構１１０の各アームの間に第１フラットケーブル１３０が噛み込まれないようになっている。
【００５１】
一方、前記右側の第２演出装置１０１では、図１５に示すように、前記第２ケース体１０２(折畳み状態の伸縮リンク機構１１０)よりも右側位置(図１５では左側)に、前記中継基板が配設された基板保持ケース１３３が配設されている。そして、右側の第２演出装置１０１では、前記可動体１２５の下部位置から右側方へ第１フラットケーブル１３０が引き出されており、該第１フラットケーブル１３０が前記基板保持ケース１３３に配設された中継基板に接続されている。前記基板保持ケース１３３には、第１フラットケーブル１３０を収容可能なケーブル収容部１３３ａが内部画成されており、該基板保持ケース１３３の左側面に形成されたケーブル開口部１３３ｂから引き出された第１フラットケーブル１３０が第２演出装置１０１の可動体１２５に接続されている。すなわち、右側の第２演出装置１０１では、前記伸縮リンク機構１１０を伸張状態から折畳み状態へ変位した際には、前記可動体１２５の下部位置から右側方へ引き出されたケーブル部分により第１フラットケーブル１３０が伸縮リンク機構１１０から離れる方向へ押し出されて、余剰ケーブル部分が基板保持ケース１３３のケーブル収容部１３３ａ内に収容されて、伸縮リンク機構１１０の各アームの間や、前側に重ねて配設された第４演出装置１８０に第１フラットケーブル１３０が噛み込まれないよう構成されている。また、右側の第２演出装置１０１における伸縮リンク機構１１０が折畳み状態から伸張状態へ変位した際には、前記基板保持ケース１３３のケーブル収容部１３３ａに収容されたケーブル部分が引き出されるようになっている。
【００５２】
(第３演出装置１４０について)
前記第３演出装置１４０は、図１６〜図２０に示すように、前記設置部材３０に取り付けられる第３ケース体１４１と、該第３ケース体１４１に配設された第３演出装置１４０の駆動手段としての電磁ソレノイド１５４と、第３ケース体１４１に対して移動可能に配設された可動部材１６０と、電磁ソレノイド１５４を可動部材１６０に連繋接続する駆動伝達機構１７１,１７２とを備え、当該電磁ソレノイド１５４の駆動に伴い可動部材１６０の動作演出を実行し得るよう構成されている。ここで、前記第３演出装置１４０は、前記設置部材３０における前記表示開口部３０ｃの左側方に設置されている。具体的には、前記設置部材３０の対向面部３０ａにおける表示開口部３０ｃより左側の領域の略全体が第３ケース体１４１(第３演出装置１４０)により覆われて、該第３演出装置１４０が前記遊技盤２０の裏側に対向するようになっている。すなわち、実施例の第３演出装置１４０は、透明な遊技盤２０を透過して前側から視認し得るようになっている。また、前記第３演出装置１４０は、前記設置部材３０の対向面部３０ａより前側に離間する位置に固定されており、該対向面部３０ａと第３演出装置１４０との間の空間に、前記左側の第２演出装置１００の一部(左端部)が臨むようになっている。
【００５３】
(第３ケース体１４１について)
前記第３ケース体１４１は、図１６〜図２０に示すように、上下方向に延在する縦長の矩形箱状に形成されると共に後方へ開口するケース本体１４２と、該ケース本体１４２の前面板１４２ａから後方に離間するよう配配設される後カバー１４３とから構成されて、ケース本体１４２と後カバー１４３との間に画成される収容空間１４４に、前記電磁ソレノイド１５４および駆動伝達機構１７１,１７２が収容設置されている。また、前記ケース本体１４２の前側には、当該ケース本体１４２の前面板１４２ａを装飾する前面装飾体１４５が配設されている。実施例のケース本体１４２、後カバー１４３および前面装飾体１４５の夫々は、光を透過する光透過性樹脂により形成されており、当該後カバー１４３の裏側に配設された第３ＬＥＤ基板１５１のＬＥＤ１５１ａの光を透過し得るよう構成されている。
【００５４】
前記第３ケース体１４１(ケース本体１４２および前面装飾体１４５)には、前記可動部材１６０を案内する第１ガイド部１４７ａ〜１４７ｃが上下に離間する複数箇所(実施例では３箇所)に設けられている。各第１ガイド部１４７ａ〜１４７ｃは、左右方向に延在する第１ガイド孔１４７ａと、該第２ガイド孔１４７ｂの下方位置に設けられて左右方向に延在すると共に当該第１ガイド孔１４７ａより長尺な第２ガイド孔１４７ｂとを有しており、各第１ガイド部１４７ａ〜１４７ｃ(第１ガイド孔１４７ａおよび第２ガイド孔１４７ｂ)に沿って可動部材１６０が左右方向に移動し得るよう構成されている。また、第１ガイド孔１４７ａおよび第２ガイド孔１４７ｂの間には、前記可動部材１６０に接続する第２フラットケーブル１７５を挿通する本体側ケーブル挿通孔１４８が前後に貫通形成されている。なお、前記前面装飾体１４５には、前記第１ガイド孔１４７ａおよび第２ガイド孔１４７ｂの夫々と前後に整列する位置に、前後に開口する連続した連通孔１４７ｃが前記第１ガイド部１４７ａ〜１４７ｃに形成されている。なお、前記連通孔１４７ｃは、前記ケース本体１４２に形成された本体側ケーブル挿通孔１４８と前後に整列において連続的に開口する形態で設けられており、本体側ケーブル挿通孔１４８および連通孔１４７ｃの夫々を第２フラットケーブル１７５が挿通するようになっている。
【００５５】
また、図１６、図１７に示すように、前記第３ケース体１４１(ケース本体１４２)における前面板１４２ａの裏側には、前記駆動伝達機構を構成する作動杆１７１(後述)を案内する第２ガイド部１４９が上下に離間する複数箇所(実施例では３箇所)に設けられている。各第２ガイド部１４９は、後方(後カバー１４３側)に突出する左右一対のガイド片１４９ａ,１４９ａにより構成されており、各第２ガイド部１４９のガイド片１４９ａ,１４９ａの間を前記作動杆１７１が上下移動し得るよう構成されている。なお、実施例では、最上部に位置する第２ガイド部１４９の一方のガイド片１４９ａ(図１６の右側)は、第３ケース体１４１の側壁を形成している。ここで、前記第２ガイド部１４９の夫々は、前記第１ガイド部１４７ａ〜１４７ｃに対して左右一方に偏った位置に形成されており、前記可動部材１６０に接続される第２フラットケーブル１７５が第２ガイド部１４９に沿って案内される作動杆１７１に挟み込まれるのを防止している。具体的には、前記第１ガイド部１４７ａ〜１４７ｃに対して前記設置部材３０の表示開口部３０ｃから離間する側(図１６の右側)に偏って各第２ガイド部１４９が設けられている。
【００５６】
また、前記第３ケース体１４１(ケース本体１４２)における前面板１４２ａの裏側には、前記第２ガイド部１４９に案内される前記作動杆１７１の前側位置に、後方へ突出する前側位置規制部１５０が形成されており、該前側位置規制部１５０の後端部に、作動杆１７１の前面が摺接し得るようになっている。すなわち、前記作動杆１７１は、前記前側位置規制部１５０により前記第３ケース体１４１(ケース本体１４２)から後方へ離間する位置に位置規制される。ここで、前記前側位置規制部１５０は、前記第２ガイド部１４９における左右一対のガイド片１４９ａ,１４９ａの間に位置するよう複数箇所(実施例では３箇所)に形成されており、該第２ガイド部１４９により作動杆１７１の左右方向の移動を規制しつつ、前側位置規制部１５０により作動杆１７１の前方移動を規制するようになっている。
【００５７】
図１６〜図１８に示すように、前記第３ケース体１４１(ケース本体１４２)には、下端部位置にソレノイド設置部１５３が形成されており、該ソレノイド設置部１５３に前記電磁ソレノイド１５４が設置されている。ここで、前記電磁ソレノイド１５４は、前記演出制御装置からの制御信号に基づいて通電状態が切替えられるコイル部を備えたソレノイド本体１５５と、該コイル部に挿通されてコイル部への通電および通電停止の切替えに応じて進退移動するプランジャ(作動体)１５６とから構成されており、前記ソレノイド設置部１５３に対して、プランジャ１５６を下方へ向けた姿勢でソレノイド本体１５５が設置されている。すなわち、前記コイル部への通電に伴いプランジャ１５６が上方へ引き上げられ、該コイル部への通電停止に伴いプランジャ１５６が自重により下方へ移動するようになっている。また、前記ソレノイド本体１５５とプランジャ１５６との間には、該プランジャ１５６を突出方向(実施例では下方)へ向けて付勢するバネ部材１５７が介装されており、コイル部への通電停止に伴うプランジャ１５６の下方移動をバネ部材１５７で補助することで、可動部材１６０の移動速度を高めるようにしている。
【００５８】
前記後カバー１４３は、前記ケース本体１４２の前面板１４２ａに対向する平板状に形成されており、該ケース本体１４２に取り付けられた状態で、前記第２ガイド部１４９の後端部が当該後カバー１４３の前面に当接するようになっている(図１９、図２０参照)。すなわち、前記第２ガイド部１４９に沿って案内される作動杆１７１が前記後カバー１４３の前面に摺接するよう構成されて、該後カバー１４３により作動杆１７１の後方移動を規制するようになっている。従って、前記第２ガイド部１４９、前側位置規制部１５０および後カバー１４３により囲まれた空間を前記作動杆１７１が上下方向に直線的に移動するようになっている。また、前記後カバー１４３には、前記設置部材３０の表示開口部３０ｃ側の縁部(以下、表示側縁部という)に、前記第３ＬＥＤ基板１５１および可動部材１６０を接続する第２フラットケーブル１７５が挿通されるカバー側ケーブル挿通孔１４６が前後に貫通するよう形成されると共に、該カバー側ケーブル挿通孔１４６の開設位置に対応する後面側に、当該第２フラットケーブル１７５を保持する第２ケーブル保持部材１５２が取り付けられている。
【００５９】
(第３ＬＥＤ基板１５１について)
また、前記後カバー１４３の後面側には、前方へ光を照射するＬＥＤ１５１ａを前面側に実装した第３ＬＥＤ基板１５１が配設されており、該第３ＬＥＤ基板１５１により後カバー１４３の全体が覆われている。前記第３ＬＥＤ基板１５１は、前記後カバー１４３の後面から僅かに離間するよう配設されており、該第３ＬＥＤ基板１５１に実装されたＬＥＤ１５１ａが後カバー１４３の後面との間に位置するようになっている。なお、前記第３ＬＥＤ基板１５１には、前記第３ケース体１４１に収容される駆動伝達機構１７１,１７２(具体的には作動杆１７１およびリンク部材１７２)および可動部材１６０と前後に重ならない位置にＬＥＤ１５１ａが実装されている。また、前記第３ＬＥＤ基板１５１における前面には、前記第３ケース体１４１(後カバー１４３)に対する前記第２フラットケーブル１７５の保持部(すなわち第２ケーブル保持部材１５２)と左右に整列する位置に、当該第２フラットケーブル１７５の差込口が第２ケーブル保持部材１５２へ向く姿勢でコネクタ１５１ｂが取り付けられている。すなわち、前記第３ＬＥＤ基板１５１のコネクタ１５１ｂに接続された前記第２フラットケーブル１７５が、前記第２ケーブル保持部材１５２へ向けて直線的に引き回されて、前記カバー側ケーブル挿通孔１４６を介して後カバー１４３の前面側へ引き出されるようになっている。
【００６０】
(可動部材１６０について)
図１６〜図２０に示すように、前記各可動部材１６０は、前記第３ケース体１４１(ケース本体１４２および前面装飾体１４５)の前側に配設されて、第３演出装置１４０の前面に位置する可動本体１６１と、該第３ケース体１４１(ケース本体１４２)の前面板１４２ａの裏側に配設される支持板１６５と、可動本体１６１および支持板１６５を連結する連結軸１６６とを備えている。前記連結軸１６６は、前記可動本体１６１後面または支持板１６５の前面において他方側へ突出するよう形成されて(実施例では可動本体１６１の後面から後方へ突出している)、前記第１ガイド部１４７ａ〜１４７ｃ(第１ガイド孔１４７ａ、第２ガイド孔１４７ｂおよび連通孔１４７ｃ)に挿通することで、可動本体１６１および支持板１６５を連結するようになっている。前記可動本体１６１は、前記支持板１６５に取り付けられる固定板１６２と、該固定板１６２の前面側に配設され、後方へ開口する箱状に形成されると共に前面側に光を透過する光透過部を有する装飾部(図示せず)とを備え、該装飾部１６３の後方開口を固定板１６２で閉塞するようになっている。そして、前記固定板１６２と装飾部１６３との間に画成される空間内に、前方へ光を照射するＬＥＤ１６７ａを備えた第４ＬＥＤ基板１６７が配設されており、該第４ＬＥＤ基板１６７のＬＥＤ１６７ａからの光が装飾部１６３の光透過部に照射されることで、可動部材１６０の前面が発光装飾されるようになっている。
【００６１】
ここで、図１８、図２０に示すように、前記固定板１６２および支持板１６５には、前記ケース本体１４２の本体側ケーブル挿通孔１４８と前後に整列する位置に、前後に貫通する可動側ケーブル挿通孔１６８が夫々開設されている。すなわち、前記固定板１６２(可動本体１６１)の可動側ケーブル挿通孔１６８から引き出された第２フラットケーブル１７５は、前記ケース本体１４２の本体側ケーブル挿通孔１４８を介してケース本体１４２の裏側に導出されると共に、前記支持板１６５の可動側ケーブル挿通孔１６８を介して可動部材１６０(支持板１６５)の後方へ引き出されるようになっている。また、前記可動部材１６０の後側に引き出された第２フラットケーブル１７５は、前記作動杆１７１から離間するよう前記後カバー１４３の表示側縁部へ向けて撓んだ状態で引き回されると共に、前記カバー側ケーブル挿通孔１４６を介して後カバー１４３(第３ケース体１４１)の後方へ引き出されるよう構成されている。そして、前記後カバー１４３(第３ケース体１４１)の後方へ引き出された第２フラットケーブル１７５が、当該後カバー１４３の裏側に配設された前記第３ＬＥＤ基板１５１に接続されるようになっている。ここで、前記第２フラットケーブル１７５におけるカバー側ケーブル挿通孔１４６から第３ＬＥＤ基板１５１までのケーブル部分は、前記後カバー１４３に取り付けられる第２ケーブル保持部材１５２(図２０参照)により挟持されて、該後カバー１４３(第３ケース体１４１)に対して移動不能に保持されるようになっている。これにより、前記可動部材１６０が移動(振動)した際に、第２フラットケーブル１７５に無理な負荷が掛かるのを防止している。
【００６２】
(駆動伝達機構１７１,１７２について)
前記第３演出装置１４０における駆動伝達機構１７１,１７２は、図１６、図１７に示すように、前記電磁ソレノイド１５４に接続すると共に前記第３ケース体１４１に上下移動可能に支持される作動杆(作動部材)１７１と、前記可動部材１６０を作動杆１７１に接続し、該作動杆１７１の上下移動に伴って可動部材１６０を動作させるリンク部材１７２とを備えており、当該電磁ソレノイド１５４の駆動に伴い可動部材１６０が初期位置および可動位置に変位するようになっている。なお、実施例では、前記各可動部材１６０に対応して複数(実施例では３つ)のリンク部材１７２を備えており、作動杆１７１の上下移動に伴って全ての可動部材１６０が連動して動作するよう構成されている。前記作動杆１７１は、前記第３ケース体１４１の収容空間１４４の上下幅より僅かに短い上下に長尺な平板状に形成されており、該作動杆１７１の下端部に前記電磁ソレノイド１５４のプランジャ１５６に接続する接続部が設けられている。これにより、前記電磁ソレノイド１５４へ通電することによりプランジャ１５６と一体的に作動杆１７１が上方移動すると共に、該電磁ソレノイド１５４への通電を停止することによりプランジャ１５６と一体的に作動杆１７１が下方移動するようになっている。
【００６３】
また、前記電磁ソレノイド１５４への通電を停止して作動杆１７１が下方移動した際に、該作動杆１７１の接続部の下端部が前記第３ケース体１４１(ケース本体１４２)に設けられた移動規制部(規制部)１４２ｂに当接して、該作動杆１７１の移動を規制すると共に、ソレノイド本体１５５からのプランジャ１５６の脱落を防止するようになっている。すなわち、前記電磁ソレノイド１５４への通電停止に伴い自重により落下(下方移動)する作動杆１７１が移動規制部１４２ｂに衝突して移動規制されることで、衝突の反作用によって作動杆１７１が跳ね返って僅かに上方移動するよう構成されている。なお、実施例では、前記ケース本体１４２における収容空間１４４を画成する下壁部が前記移動規制部１４２ｂとして機能するようになっている。
【００６４】
前記リンク部材１７２は、図１６、図１７に示すように、前記第３ケース体１４１(ケース本体１４２)に回転可能に枢支されると共に、該枢支部から径方向へ延出する２つの作動アーム１７２ａを備えた略Ｌ字状に形成されており、一方の作動アーム１７２ａが前記作動杆１７１に枢支されると共に、他方の作動アーム１７２ａが前記可動部材１６０(支持板１６５)に枢支されている。ここで、前記リンク部材１７２は、前記作動杆１７１を挟んで前記第１ガイド部１４７ａ〜１４７ｃと反対側に位置するよう前記第３ケース体１４１(ケース本体１４２)に枢支されている。すなわち、前記可動部材１６０から収容空間１４４に引き出された第２フラットケーブル１７５は、前記作動杆１７１およびリンク部材１７２から離間する方向へ延在して前記後カバー１４３のカバー側ケーブル挿通孔１４６に挿通されるようになっており、該作動杆１７１およびリンク部材１７２に対してケーブルの噛み込みを防止するようになっている。また、実施例では、上下の可動部材１６０(支持板１６５)に対応したリンク部材１７２は、作動杆１７１に接続されて左右へ延在する作動アーム１７２ａに対して可動部材１６０(支持板１６５)に接続される作動アーム１７２ａが上方へ延在するのに対し、中間の可動部材１６０(支持板１６５)に対応したリンク部材１７２は、作動杆１７１に接続されて左右へ延在する作動アーム１７２ａに対して可動部材１６０(支持板１６５)に接続される作動アーム１７２ａが下方へ延在するよう形成されている。これにより、前記作動杆１７１が上下移動した際に、上下のリンク部材１７２と中間のリンク部材１７２とが逆方向に回転変位して、上下の可動部材１６０と中間の可動部材１６０とが左右反対方向へ移動するようになっている。すなわち、実施例では、前記作動杆１７１の上下移動に伴って上下に隣接する可動部材１６０が相互に左右の異なる方向へ移動するようになっており、該可動部材１６０の動作が目立つよう構成されている。
【００６５】
(第４演出装置１８０について)
前記第４演出装置１８０は、図２１、図２４に示すように、前記設置部材３０に取り付けられる第４ケース体１８１と、該第４ケース体１８１に配設された第４演出装置１８０の駆動手段としての第４駆動モータ１８５と、第４ケース体１８１に対して揺動可能に支持され、第４駆動モータ１８５の駆動に伴い揺動される揺動アーム１９０と、揺動アーム１９０の延出部に配設された可動演出体(可動体)１９６とを備え、第４駆動モータ１８５の駆動に伴い揺動アーム１９０が揺動することで、前記背面装飾板３３の右側部の前側に重なる初期位置と、前記図柄表示装置１８の表示部１８ａの前側に重なる可動位置との間を可動演出体１９６が移動するよう構成されている(図２２参照)。ここで、前記第４演出装置１８０における第４ケース体１８１は、前記表示開口部３０ｃの右下隅角部に配設されている前記右側の第２演出装置１０１における第２ケース体１０２の前側に重なるよう配置されている(図４、図２３参照)。
【００６６】
(第４ケース体１８１について)
前記第４ケース体１８１は、図２１、図２４に示すように、前後のケースから内部に空間が画成された箱状に形成されており、該第２ケース体１０２の後面下部位置に前記第４駆動モータ１８５が設置されている。前記第４駆動モータ１８５は、前記第４ケース体１８１に開設された前後に貫通する駆動軸挿通孔を介して内部空間に挿通された駆動軸に駆動ギア１８６が取り付けられている。また、前記第４ケース体１８１には、前記右側の第２演出装置１０１における可動体１２５の前側に重なる位置に、第２遮蔽板１８２が設けられており、該右側の第２演出装置１０１に設けられた前記伸縮リンク機構１１０の折畳み状態において可動体１２５の前側が第２遮蔽板１８２で覆われるようになっている。前記第２遮蔽板１８２は、前記枠状装飾体２５に設けられた前記球規制壁部２５ｆの後方に重なるように位置している。すなわち、前記球規制壁部２５ｆの後方には、前記第２遮蔽板１８２が直接対向して、該球規制壁部２５ｆを透過して右側の第２演出装置１０１の可動体１２５を前側から視認されないよう構成されている。このように、右側の第２演出装置１０１に関しても、前述した左側の第２演出装置１００と同様に、前記伸縮リンク機構１１０の折畳み状態において前記可動体１２５が前記遊技盤２０(球規制壁部２５ｆ)の裏側に隠れるよう配設され、該伸縮リンク機構１１０の伸張動作に伴い表示窓口２５ａに臨んだ前記図柄表示装置１８の表示部１８ａに可動体１２５が重なる内方向へ可動体１２５が移動すると共に、該表示部１８ａに沿って横方向へ弧状に平行移動するようになっている。
【００６７】
前記第４ケース体１８１における内部空間には、図２４、図２５に示すように、前記駆動ギア１８６を揺動アーム１９０に接続する従動ギア１８７が設けられると共に、揺動アーム１９０を揺動するカム板１８８が設けられている。なお、具体的には、前記駆動ギア１８６から複数(実施例では２つ)の従動ギア１８７が上方側に連続して噛合するよう設けられている。ここで、前記カム板１８８は、円盤状に形成されて中心に位置する回転軸１８８ｃを中心として回転可能に枢支されると共に、外周面に従動ギア１８７が噛合するギア部１８８ａが形成されている。また、前記カム板１８８の前面には、偏心位置に前方へ突出するカム軸１８８ｂが形成されており、前記第４駆動モータ１８５の駆動に伴いカム板１８８が回転することで、カム軸１８８ｂが回転変位するようになっている。そして、前記第４ケース体１８１には、前方および側方(実施例では右側方)へ内部空間が開口する操作窓１８１ａが開設されており(図２４参照)、該操作窓１８１ａを介して前記カム板１８８が部分的に第４ケース体１８１の前方および側方に露出するよう構成されている。また、前記駆動ギア１８６には、径方向外方へ向けて延出する第４位置検出片１８６ａが設けられており、前記第４ケース体１８１に配設された第４位置検出センサ１８９が第４位置検出片１８６ａを検出することで、前記初期位置が検出されるようになっている。なお、前記第４位置検出センサ１８９としては、発光部と受光部とを備えたフォトセンサが採用されている。
【００６８】
前記揺動アーム１９０は、図２５に示すように、前記第４ケース体１８１に対して前後に延在する回転軸１９１を中心として揺動可能に枢支されると共に、該回転軸１９１から第４ケース体１８１の内部空間へ向けて径方向へ延在する作動片１９２が形成されている。前記作動片１９２には、長手方向に沿って前後に開口する作動孔１９２ａが形成されて、該作動孔１９２ａに対して前記カム板１８８のカム軸１８８ｂが挿通されている。これにより、前記カム板１８８の回転に伴って前記揺動アーム１９０が揺動するよう構成されている。ここで、前記揺動アーム１９０が前記初期位置にある状態では、前記揺動アーム１９０を初期位置から可動位置へ向けて揺動する際に、前記カム板１８８のカム軸１８８ｂに対し、前記カム板１８８を図２５の右方向に回転させるよう力が作用するよう構成されている。すなわち、前記揺動アーム１９０が前記初期位置にある状態では、前記カム板１８８の回転に伴って揺動アーム１９０を初期位置から可動位置へ揺動させ得る一方で、直接操作によって当該揺動アーム１９０を初期位置から可動位置に揺動し得ないようになっている。従って、パチンコ機１０に生じた振動等によって揺動アーム１９０(可動演出体１９６)が揺動することなく所定の初期位置に保持されるようになっている。
【００６９】
また、前記揺動アーム１９０は、図２１、図２５に示すように、該揺動アーム１９０の回転中心から前記第４ケース体１８１の内部空間の外側へ向けて径方向へ延出する第１延出アーム部(第１アーム部)１９３と、該第１延出アーム部１９３の延出端部に連設する第２延出アーム部(第２アーム部)１９４とから構成されている。ここで、前記第２延出アーム部１９４は、前記第１延出アーム部１９３の延出端部において、前記回転軸１９１を中心とした接線方向に、前記揺動アーム１９０が初期位置から可動位置へ向けて揺動する揺動方向(すなわち図２１の上側)に延出するよう形成されている。また、前記第２延出アーム部１９４の延出端部には、前方へ延出する突出部１９５の前端部(突出端部)に前記可動演出体１９６が取り付けられている。すなわち、前記第４演出装置１８０の可動演出体１９６は、前記第４ケース体１８１よりも前側に位置するよう構成されて、前記枠状装飾体２５に開設された表示窓口２５ａの開口内側に位置するようになっている。なお、実施例では、前記可動演出体１９６に前記突出部１９５が形成されているが、前記第２演出アーム部１９４突出部１９５を設けることも可能である。ここで、前記枠状装飾体２５には、前記庇状部２５ｂの前端部に、前記揺動アーム１９０が初期位置にある状態で前記可動演出体１９６の前側を覆う透過壁部２６が設けられており、該透過壁部２６を介して可動演出体１９６を前側から視認し得るようになっている。なお、前記透過壁部２６には、塗装やメッキ加工等により前側から透視不能な遮光部２６ａが部分的に設けられており、該透過壁部２６の裏側に位置する可動演出体１９６が隠れるようにして、遊技者の興味を惹き付けるようになっている。
【００７０】
ここで、前記第４演出装置１８０は、前記枠状装飾体２５に設けられた前記ステージ２５ｃの右側方(側外方)に配置されており、前記揺動アーム１９０が可動位置に揺動した状態で、該揺動アーム１９０の回転軸１９１と、当該揺動アーム１９０に対する可動演出体１９６の取付部(突出部１９５)とを結ぶ線上に、前記ステージ２５ｃの上方を覆う屋根状部２５ｇが位置するようになっている。前記揺動アーム１９０が可動位置に揺動した状態では、前記揺動アーム１９０の第１延出アーム部１９３が前記ステージ２５ｃから離間する右上方側へ延在すると共に、前記第２延出アーム部１９４が第１延出アーム部１９３の延出端部から前記屋根状部２５ｇの上方側へ延在するよう構成されており、当該揺動アーム１９０が可動位置に揺動した状態において、前記可動演出体１９６が屋根状部２５ｇの上方に位置するようになっている。すなわち、前記揺動アーム１９０における前記第１延出アーム部１９３と第２延出アーム部１９４との屈曲部に前記屋根状部２５ｇが位置して、当該屋根状部２５ｇと揺動アーム１９０との干渉を規制する退避部として当該屈曲部が機能するようになっている。
【００７１】
(発光装飾部２１０について)
前記発光装飾部２１０は、図２６〜図２８に示すように、収容空間２１３が内部画成されると共に、該収容空間２１３を外部に露出する露出孔２１２ａ(貫通孔)が形成された収容ケース体(ケース体)２１１と、該収容ケース体２１１の収容空間２１３に収容される光透過性の光透過部材(収容体)２１９と、該光透過部材２１９を挟んで露出孔２１２ａの反対側に位置するよう収容ケース体２１１に配設されると共に、該露出孔２１２ａへ向けて光を照射するＬＥＤ２２５ａを有するＬＥＤ基板(以下、発光装飾ＬＥＤ基板２２５という)とを備え、該発光装飾ＬＥＤ基板２２５のＬＥＤ２２５ａからの光が光透過部材２１９を透過して露出孔２１２ａを介して遊技盤２０の前方へ照射されるようになっている。そして、前記発光装飾部２１０における収容ケース体２１１が、前記設置部材３０に配設された装飾板３５の基台部３６(図２８参照)に、該設置部材３０の前方開口より前側に突出するよう取り付けられている。従って、前記遊技盤２０と設置部材３０とを組み付けた状態で、前記枠状装飾体２５の表示窓口２５ａの開口上部位置に発光装飾部２１０が臨んで、該発光装飾部２１０が前記上部演出装置２００に対して表示開口部３０ｃの外側に隣接して位置するようになっている。
【００７２】
ここで、前記収容ケース体２１１は、図２６、図２７に示すように、前記露出孔２１２ａが前後に開口するよう前端部に形成されると共に後方へ開口する箱状に形成され、該収容ケース体２１１の側面側に前記基台部３６に対する固定部が形成されている。なお実施例では、前記収容ケース体２１１は、前後に延在する複数(実施例では３つ)の円筒状意匠部が横並び状に連続した形態で形成されて、各円筒状意匠部の前端部に前記露出孔２１２ａが夫々形成されている。ここで、前記収容ケース体(円筒状意匠部)２１１の前端部は、前記基台部３６に設置した状態において、前記表示窓口２５ａの開口中心側から離間するにつれて前方へ突出する傾斜部２１２が設けられており(図２６(b)参照)、各傾斜部２１２に前記露出孔２１２ａが開設されている。すなわち、前記露出孔２１２ａは、前記枠状装飾体２５における表示窓口２５ａの中央前側に向くよう開口しており、パチンコ機１０の前側で遊技する遊技者方向へ露出孔２１２ａが向いている。
【００７３】
前記光透過部材２１９は、図２６(b)、図２７に示すように、前記収容ケース体２１１の内部形状(収容空間２１３)に略整合する外郭形状に形成されると共に、収容ケース体２１１の後方へ開口する中空のケース状に形成されており、当該収容ケース体２１１の後方開口から光透過部材２１９を嵌合することで所定位置に位置決め保持されるようになっている。また、前記光透過部材２１９の前端部には、前記各露出孔２１２ａと対応する位置に、前側に向けて膨出する光透過性の膨出部(被覆部)２２０が設けられており、前記収容ケース体２１１に光透過部材２１９を嵌合させた状態で、各膨出部２２０が対応する露出孔２１２ａの開口内側に嵌り込んで露出孔２１２ａが塞がれるようになっている。また、前記各膨出部２２０の裏側(光透過部材２１９の内部側)には、光拡散処理が施されており、前記発光装飾ＬＥＤ基板２２５のＬＥＤ２２５ａが照射された際に、該膨出部２２０の全体を明輝させ得るようになっている。
【００７４】
前記光透過部材２１９には、図２６(b)、図２７に示すように、前記各露出孔２１２ａに対応する位置(膨出部２２０)に、発光装飾ＬＥＤ基板２２５の配設側(すなわち後方)へ向けて延在する光透過性の導光部２２２が夫々設けられている。言い換えると、前記収容ケース体２１１の後方開口を塞ぐ発光装飾ＬＥＤ基板２２５には、前記各導光部２２２の形成位置に対応してＬＥＤ２２５ａが実装されている。ここで、前記各導光部２２２は、前記収容ケース体２１１の収容空間２１３に光透過部材２１９を収容すると共に発光装飾ＬＥＤ基板２２５を取り付けた状態で、該発光装飾ＬＥＤ基板２２５に設けられたＬＥＤ２２５ａが所定間隔離間した位置で後端部に対向するようになっている。更に、前記光透過部材２１９には、前記露出孔２１２ａに臨む各膨出部２２０の前面側に、前方へ突出する凸レンズ状のレンズ部(発光意匠部)２２１が形成されている。前記各レンズ部２２１は、前記導光部２２２の延在方向前方に整列する位置(発光装飾ＬＥＤ基板２２５のＬＥＤ２２５ａの光照射方向前端部に対応する位置)に設けられており、各導光部２２２を透過した光により対応するレンズ部２２１が発光するようになっている。すなわち、前記導光部２２２の後端部に入射して導光部２２２を透過した光は、レンズ部２２１のレンズ効果により強く発光するようになっている。このように、前記膨出部２２０は、前記発光装飾ＬＥＤ基板２２５のＬＥＤ２２５ａを発光させた際に、導光部２２２に入射することなく外周囲に照射された光により全体的に明輝されると共に、前記導光部２２２を介してレンズ部２２１を透過した光により強く発光することで、発光演出の効果を高めている。
【００７５】
また、図２６(b)に示すように、前記導光部２２２は、前記膨出部２２０に対して傾斜するよう延在すると共に、該導光部２２２の延在方向(前後方向)に対して前記レンズ部２２１の光軸が下方へ傾斜した状態で交差するよう構成されている。すなわち、前記導光部２２２を透過した光がレンズ部２２１で屈折して、前記枠状装飾体２５における表示窓口２５ａの中央前側に向くよう構成されている。従って、前記表示窓口２５ａにおける開口上部に配設された前記発光装飾部２１０における発光装飾ＬＥＤ基板２２５のＬＥＤ２２５ａを発光した光がパチンコ機１０の前側で遊技する遊技者方向へ照らされ、発光装飾効果の向上を図っている。
【００７６】
(実施例の作用)
次に、実施例に係るパチンコ機１０の作用につき説明する。
【００７７】
前記中枠の前面側に設けられた前記操作ハンドル１６を遊技者が回転操作すると、打球発射装置から発射されたパチンコ球が前記遊技盤２０に設けた案内レール２１により画成された遊技領域２０ａ内に打ち出されて、遊技釘等に接触して流下方向を変更しながら遊技領域２０ａ内を流下する。そして、前記遊技領域２０ａを流下するパチンコ球が前記始動入賞装置２３の始動入賞口に入賞することで、前記図柄表示装置１８での図柄変動演出が開始され、図柄変動演出の結果、図柄表示装置１８に所定の図柄組み合わせで図柄が表示されると遊技者に有利な特別遊技(大当り)が発生し、特別遊技が発生する図柄の組み合わせに応じて、前記遊技盤２０に設けられた特別入賞装置２４が開放されると共に、図柄表示装置１８において大当り演出が行われる。そして、前記図柄表示装置１８において図柄変動演出や大当り演出が行われる適宜のタイミングにおいて、前記第１〜第４演出装置５０,１００,１４０,１８０および発光装飾部２１０が演出制御装置から所定の制御条件に基づいて作動して、各種可動体１２５や可動部材１６０の動作による演出が行われると共に、ＬＥＤの発光による発光演出が行われる。
【００７８】
ここで、前記第１演出装置５０では、前記第１ＬＥＤ基板５７のＬＥＤ５７ａの光が照射される光軸Ｌ１に対して、該ＬＥＤ５７ａの前側に位置する凸レンズ８０の光軸Ｌ２が傾斜した状態で交差するよう設けられている。このため、前記第１ＬＥＤ基板５７のＬＥＤ５７ａの光が前記凸レンズ８０を透過する際に、該凸レンズ８０の径方向へ屈折される。従って、前記演出制御装置からの制御信号に基づいて、前記第１演出装置５０の第１駆動モータ５５を駆動して前記レンズ保持部材７０(作動ギア部材６１およびレンズ保持部材７０)を回転すると、前記凸レンズ８０が第１ＬＥＤ基板５７のＬＥＤ５７ａの光軸Ｌ１周りに回転し、これにより当該凸レンズ８０を透過した屈折光が回転変位するようになる。このように、前記凸レンズ８０の回転に伴い光の照射方向を回転変位させることで、前記第１演出装置５０による装飾・演出効果の向上を図り得る。このように、従来の可動演出装置のように可動体の揺動に合わせて発光手段が移動する構成ではなく、凸レンズ８０の回転に伴い光の照射方向が回転変位することで、今までにない装飾・演出効果を実現し得る。
【００７９】
また、前記第１演出装置５０では、前記第１駆動モータ５５を駆動した際に、前記凸レンズ８０を支持している支持ベース７１が一体的に回転するから、回転時における凸レンズ８０の光軸Ｌ２のズレを防止でき、光の照射方向を安定して回転変位させることができる。しかも、前記第１ＬＥＤ基板５７のＬＥＤ５７ａの光が透過する光透過孔５３が形成された各軸部５２ａ〜５２ｃに枢支された作動ギア部材６１に前記支持ベース７１が固定されていることで、該支持ベース７１の安定性が向上し、回転に伴い振動等に起因して凸レンズ８０の光軸Ｌ２がズレるのを効果的に防止でき、該第１ＬＥＤ基板５７のＬＥＤ５７ａの光を凸レンズ８０に確実に照射することができる。また、前記作動ギア部材６１の回転中心となる各軸部５２ａ〜５２ｃに形成した光透過孔５３の後方開口側に第１ＬＥＤ基板５７のＬＥＤ５７ａを臨ませると共に、該光透過孔５３の前方開口側に前記凸レンズ８０を臨ませたことで、該ＬＥＤ５７ａからの光を外部に漏らすことなく凸レンズ８０に集中させることができる。すなわち、前記光透過孔５３以外の領域は前記作動ギア部材６１により光が遮られ、第１ＬＥＤ基板５７のＬＥＤ５７ａの光が各軸部５２ａ〜５２ｃの光透過孔５３を透過した後に凸レンズ８０に照射されるようにしたことで、該光透過孔５３のスリット効果により凸レンズ８０の一点に光を集中的に照射され、凸レンズ８０の回転に伴って回転変位する屈折光を明瞭にすることができるから、該第１ＬＥＤ基板５７のＬＥＤ５７ａをそのまま凸レンズ８０に照射させるよりも、第１演出装置５０による装飾効果や演出効果を格段に高めることができる。
【００８０】
また、前記第１演出装置５０では、前記凸レンズ８０を囲うレンズカバー７７の外周壁を、該凸レンズ８０が臨むレンズ開口部７７ａ側の端部から第１ＬＥＤ基板５７に近接するにつれて拡開するよう形成してあるから、該第１ＬＥＤ基板５７のＬＥＤ５７ａの光を最大に凸レンズ８０へ集めることができる。また、前記レンズ開口部７７ａが傾斜する姿勢でレンズカバー７７が保持されているから、前記凸レンズ８０の回転に伴って回転変位する光の照射方向をレンズ開口部７７ａの開口向きで明確に示すことができ、装飾効果や演出効果の向上に寄与し得る。
【００８１】
更に、実施例の第１演出装置５０は、複数の凸レンズ８０を備えると共に各凸レンズ８０に対応するＬＥＤ５７ａを備えており、１つの第１駆動モータ５５の駆動に伴い各凸レンズ８０が同期して回転するようにしたから、遊技者の注意を効果的に惹き付けることができ、装飾効果や演出効果を高めることができる。
【００８２】
また、前記凸レンズ８０を回転させるようにしたことで、第１ＬＥＤ基板５７に多くのＬＥＤ５７ａを設けることなく光の照射方向を変化させ得ると共に広範囲に光を照射し得るから、装置構成を簡略化することができ、装置の小型化を図り得ると共コストを低減することが可能となる。また、光の照射方向を変化させる際に、前記第１ＬＥＤ基板５７を動かす必要がないから、該第１ＬＥＤ基板５７に接続する配線処理が簡単になり、配線処理の煩わしさが軽減され、作業効率や生産効率の向上に繋がる。
【００８３】
前記第１演出装置５０の左右側部に配設された前記第２演出装置１００,１０１は、第２ケース体１０２に伸縮可能に配設した伸縮リンク機構１１０の伸張側端部に可動体１２５を配設されており、伸縮リンク機構１１０を折り畳まれた状態に変位させることでコンパクトに収納することが可能となる一方で、伸縮リンク機構１１０の伸張動作に伴って可動体１２５にダイナミックな動きを行わせることができる。また、前記伸縮リンク機構１１０は、井桁状に組み合わせた第１〜第４アームから構成されているから、縮リンク機構の伸縮動作の確実性が高まり、前記可動体１２５を安定して動作することができる。また、伸縮リンク機構１１０が折畳み状態に変化した状態では、可動体１２５の後方に伸縮リンク機構１１０が覆われるよう構成してあるから、機械的構成である伸縮リンク機構１１０が遊技者から見えることはなく、パチンコ機１０のデザインを損なうことはない。また、前記折り畳まれた状態の伸縮リンク機構１１０の前側に可動体１２５が位置することで、可動体１２５を設置するために必要なスペースがコンパクトになり、スペース効率が高まる。そして、折畳み状態においては伸縮リンク機構１１０がコンパクトになることから、可動体１２５を遊技盤２０の裏側に隠れる位置に配設しても、遊技盤２０に配設される他の遊技機構成部品の設置スペースを確保することができる。
【００８４】
そして、伸縮リンク機構１１０が伸張動作することで、遊技盤２０の裏側に隠れていた可動体１２５が図柄表示装置１８の表示部１８ａの前側に重なるよう大きく移動させることができ、可動体１２５の動作による演出効果の向上を図り得る。また、伸縮リンク機構１１０を利用して可動体１２５を動作させることで、伸縮リンク機構１１０が折畳み状態にある場合に略矩形状に形成した表示開口部３０ｃの隅角部に配置した可動体１２５を、該表示開口部３０ｃの内方向で、かつ表示部１８ａに沿って横方向へ弧状に移動することができる。すなわち、可動体１２５を大きく動作することができるから、可動体１２５の動作による演出効果の向上を図り得る。しかも、前記伸縮リンク機構１１０の折畳み状態では、前記可動体１２５が第１遮蔽板１２３または第２遮蔽板１８２により覆われているから、該伸縮リンク機構１１０が伸張動作した際の可動体１２５の動作に対する意外性が高まる。そして、前記第２演出装置１００,１０１をコンパクトにしたことで、前記可動体１２５を遮蔽する遮蔽板１２３,１５２(具体的には第２遮蔽板１８２)を第２演出装置１００,１０１に重なるよう配設された別の演出装置(第４演出装置１８０)に設けることができ、パチンコ機１０の設計上の自由度を高めることができる。
【００８５】
また前記右側の第２演出装置１０１の前側に重なるよう設置された第４演出装置１８０では、揺動アーム１９０の回転中心から径方向に延出する第１延出アーム部１９３の延出端部において、揺動アーム１９０の初期位置から可動位置への回転の接線方向へ向けて延在する第２アーム部が連設する屈曲形状に形成してある。従って、前記揺動アーム１９０の初期位置から可動位置への回転方向にパチンコ機１０を構成する他の部材を設けたとしても、当該揺動アーム１９０が他の部材と干渉するのを回避し得るから、当該揺動アーム１９０(可動演出体１９６)の動作範囲を拡大することができる。具体的には、前記揺動アーム１９０が可動位置に揺動した状態で、該揺動アーム１９０の回転軸１９１と前記可動演出体１９６の取付部(第２延出アーム部１９４の延出端部に位置する突出部１９５)とを結ぶ線状に、屋根状部２５ｇが位置するよう構成しても、前記揺動アーム１９０の屈曲部により揺動アーム１９０と屋根状部２５ｇとの干渉を防止できるから、揺動アーム１９０が可動位置に揺動した状態で可動演出体１９６を屋根状部２５ｇの上方に位置させることができるから、可動演出体１９６の動作に対するインパクトを高められる。
【００８６】
また、前記第２延出アーム部１９４の延出端部に前方へ突出する突出部１９５を設けて、該突出部１９５に可動演出体１９６を取り付けたことで、第４演出装置１８０の全体を前方へ設置することなく可動演出体１９６を前側に位置させて目立たせることができる。すなわち、前記設置部材３０に第４演出装置１８０を設置した状態のまま、前記遊技盤２０の枠状装飾体２５に形成された表示窓口２５ａの開口内側に可動演出体１９６を位置させることができる。また、揺動アーム１９０が初期位置にある状態では、前記枠状装飾体２５に形成された透過壁部２６を介して可動演出体１９６が部分的に遊技盤２０の前面に露出するようにしたことで、該可動演出体１９６を目視により確認することができ、可動演出体１９６の動作に対する興趣を惹きつけることができる。
【００８７】
また、前記第３演出装置１４０に設けた電磁ソレノイド１５４の通電および通電停止を切替えることで、該第３演出装置１４０が備える可動部材１６０を遊技盤２０の裏側で初期位置および可動位置に変位させることができる。ここで、この電磁ソレノイド１５４の通電停止時には、下方移動した作動杆１７１が自重によりケース本体１４２の移動規制部１４２ｂに当接して移動規制されると共に、この移動規制部１４２ｂに作動杆１７１が当接した衝撃の反発に伴い僅かに跳ね返ることで作動杆１７１が上下に変位する。すなわち、前記作動杆１７１が上下に変位することで、該作動杆１７１に連繋接続する可動部材１６０を振動するように左右に移動させ得るから、可動部材１６０の動作に余韻が生まれ、当該可動部材１６０の動作に対する興趣を高めることができる。また、前記作動杆１７１が取り付けられるプランジャ１５６にバネ部材１５７を介装したことで、作動杆１７１がケース本体１４２の移動規制部１４２ｂに当接した際の反発力を大きくすることができ、可動部材１６０の振動動作を大きくすることができる。
【００８８】
また、前記作動杆１７１が自重により下方移動してケース本体１４２の移動規制部１４２ｂに当接した反発力を利用することで、可動部材１６０の可動停止(電磁ソレノイド１５４の通電停止)毎に反発力の大きさが僅かに変り、振幅(左右の移動幅)が可変するランダムな振動を可動部材１６０に与えることができ、可動部材１６０の動作に対する興趣が高まる。しかも、電磁ソレノイド１５４の通電および通電停止を利用して可動部材１６０を振動させ得るから、モータ制御のような複雑な駆動制御を必要とせず、コストの抑制に繋がる。
【００８９】
また、前記作動杆１７１には、上下に離間する複数箇所(実施例では３箇所)にリンク部材１７２を介して可動部材１６０が連結されているから、一度に複数の可動部材１６０を振動させることができる。しかも、作動杆１７１の上下移動に伴って上下に隣接する可動体１２５が左右の異なる方向へ移動するよう構成してあるから、ケース本体１４２の移動規制部１４２ｂに当接した反発に伴って作動杆１７１が上下移動した際の可動部材１６０の振動動作が複雑になり、可動部材１６０の動作に対する興趣がより一層高められる。
【００９０】
前記可動部材１６０に対して左右何れかに偏倚した位置(図１６の右側)に前記作動杆１７１を配設し、可動部材１６０の第４ＬＥＤ基板１６７に接続された第２フラットケーブル１７５を、各第４ＬＥＤ基板１６７との接続部(可動側ケーブル挿通孔１６８)から作動杆１７１の配置側と反対側(図１６、図２０の左側)へ向けて撓んだ状態で引き回すことで、可動部材１６０の動作時に第２フラットケーブル１７５が作動杆１７１との間に噛み込まれるのを防止できる。また可動部材１６０が振動した際に、第２フラットケーブル１７５に無理な力が作用しないから、第２フラットケーブル１７５の断線を防ぐことができる。
【００９１】
また、前記第３ケース体１４１(後カバー１４３)の背面に第３ＬＥＤ基板１５１を配設することで、該第３ＬＥＤ基板１５１を背面から照明することができ、第３演出装置１４０による装飾・演出効果が向上する。更に、第３ＬＥＤ基板１５１におけるＬＥＤ１５１ａが実装された前面(後カバー１４３との対向面)に、コネクタ１５１ｂの差込口が第２フラットケーブル１７５の保持部(第２ケーブル保持部材１５２)側に向くよう設けられているから、該第２フラットケーブル１７５の配線処理のために第３演出装置１４０を大型化する必要がなく装置をコンパクトにすることができる。しかも、前記第２フラットケーブル１７５が後カバー１４３および第３ＬＥＤ基板１５１の間を引き回されることで、該第２フラットケーブル１７５を保護する部材を別途設ける必要がない。また、前記第２フラットケーブル１７５を第３ＬＥＤ基板１５１のコネクタ１５１ｂに接続することで、該第３ＬＥＤ基板１５１を可動部材１６０に配設される電気部品(第４ＬＥＤ基板１６７)に対する中継基板として利用できる。
【００９２】
前記発光装飾部２１０において、前記発光装飾ＬＥＤ基板２２５のＬＥＤ２２５ａを発光させると、発光させたＬＥＤ２２５ａに対向する導光部２２２を光が透過して、該導光部２２２に対応したレンズ部２２１が強く発光する。一方で、前記ＬＥＤ２２５ａに対向する導光部２２２に入射することなく導光部２２２の周りに照射された光が膨出部２２０の裏側に照射されて、該膨出部２２０がレンズ部２２１より弱く発光する。このように、発光装飾ＬＥＤ基板２２５のＬＥＤ２２５ａ発光させた際に、該ＬＥＤ２２５ａに対向する導光部２２２を透過した光により強く光るレンズ部２２１と、レンズ部２２１の周囲に位置して導光部２２２を透過しない光が照射される膨出部２２０とで発光態様に強弱をつけることができる。すなわち、１つのＬＥＤ２２５ａにより強弱をつけた発光態様を実現でき、発光による装飾性を高め得る。そして、前記レンズ部２２１を膨出部２２０の外表面から突出する凸レンズ８０としたことで、導光部２２２を透過した光をより強調することができ、光のコントラストが高まる。
【００９３】
また、上部演出装置２００に隣接して発光装飾部２１０が配設されているから、該上部演出装置２００による演出と発光装飾部２１０での発光による演出との調和を図り得ると共に、該上部演出装置２００に発光部を設けることが困難であっても、隣接する発光装飾部２１０により発光演出を行ない得るから多彩な演出が可能となる。また、導光部２２２を透過した光によりレンズ部２２１が強調されて光ることで、上部演出装置２００の動作に偏りがちな遊技者の意識を発光演出にも向けることができ、遊技演出のバリエーションが深まる。
【００９４】
また、前記膨出部２２０は、対応する導光部２２２の延在方向に対して傾斜するよう構成されると共に、導光部２２２の延在方向に対してレンズ部２２１の光軸が交差するよう構成したことで、前記発光装飾ＬＥＤ基板２２５のＬＥＤ２２５ａの光を、枠状装飾体２５の表示窓口２５ａの開口中心前側に向けて照射することができるから、発光装飾部２１０を配設する自由度が高まる。更に、前記膨出部２２０が収容ケース体２１１に開設された露出孔２１２ａを介して収容空間２１３の外側に膨出するよう形成してあるから、該膨出部２２０の傾斜に応じて照射される光の強さを変化し、該膨出部２２０の発光態様を多彩にできる。すなわち、前記発光装飾ＬＥＤ基板２２５のＬＥＤ２２５ａからより遠くに位置する膨出部２２０の傾斜前端部よりも、該ＬＥＤ２２５ａに対してより近くに位置する膨出部２２０の傾斜後端部側をより強く光らせることができる。
【００９５】
(変更例)
なお、遊技機の構成としては、前述した実施例に示したものに限らず、種々の変更が可能である。以下にその一例を示す。
【００９６】
(１)  実施例では、第１演出装置において複数備える凸レンズの光軸を互いに平行な関係となるよう構成したが、これに限られるものではなく、凸レンズの光軸を相互に異ならせるようにしてもよい。例えば、図２９に示すように、第１ケース体５１の中軸部５２ａに回転可能に支持された作動ギア部材６１に固定されるレンズ保持部材７０を１８０°反転させて、左右の軸部５２ｂ,５２ｃに回転可能に支持された作動ギア部材６１に固定されるレンズ保持部材７０の凸レンズ８０の光軸Ｌ２と、該中軸部５２ａに対応するレンズ保持部材７０の凸レンズ８０の光軸Ｌ２とを１８０°回転変位させるようにしてもよい。このように、光軸が相互に異なる方向へ向く複数の凸レンズ８０をレンズ保持部材７０の作動に伴って同期して回転させるようにすることで、光の照射方向を一度に複雑に変化させることができ、装飾・演出効果の向上を図ることができる。また、前記複数の凸レンズ８０の光軸Ｌ２を全て異なる方向へ延在するよう構成することもできる。
(２)  実施例の第１演出装置では、３つの凸レンズを備えるよう構成したが、これに限られるものではなく、１つの凸レンズのみを備えるようにしてもよく、また２つまたは４つ以上の凸レンズを備えるようにすることもできる。
(３)  実施例では、作動ギア部材の中心に挿通された軸部の光透過孔を透過した光を凸レンズに入射するよう構成したが、凸レンズに光を照射し得る位置関係であれば、任意に変更することができる。
(４)  凸レンズを回転させる回転作動手段に関しては、実施例に示した作動ギア部材およびレンズ保持部材に限られるものではなく、カム機構やリンク機構等の従来公知の各種手段を採用できる。
(５)  実施例では、第２演出装置において井桁状に組み合わせた伸縮リンク機構により可動体を動作させるようにしたが、伸縮リンク機構が折畳み状態および伸張状態に変化するよう構成すれば、実施例と同様の作用効果を実現できる。
(６)  伸縮リンク機構を構成するリンク杆の数としては、実施例にものに限られるものではなく、可動体の移動量や移動軌跡に応じて適宜に変更することができる。
(７)  実施例では、伸縮リンク機構の伸張端部側に可動体を取り付けるようにしたが、これに限られるものではなく、伸縮リンク機構の中間位置に可動体を取り付けるようにしてもよい。また、伸縮リンク機構に取り付ける可動体の数は１つに限られるものではない。
(８)  実施例では、可動体の後方に伸縮リンク機構が覆われるように構成したが、これに限らず、該可動体の上下方向や側方に伸縮リンク機構が位置するようにしてもよく、また、可動体に凹部を形成して、折畳み状態の伸縮リンク機構が可動体の凹部内に収容されるよう構成することもできる。
(９)  実施例では、１つの作動杆(作動部材)に複数(３つ)の可動部材が連動して作動されるよう構成したが、これに限らず、１つの可動部材または４つ以上の可動部材を連結してもよい。
(１０)  また、作動杆の動作に連動した可動部材の動作としては、実施例に示した左右方向への往復移動に限られるものではなく、可動部材を上下移動させたり揺動させるようにすることもできる。
(１１)  実施例では、第３演出装置の可動部材に電気部品としてＬＥＤ基板を備える構成を示したが、これに限られるものではなく、各種の電気部品を可動部材に配設することができる。
(１２)  実施例では、揺動アームの延出端部に板状の可動演出体を取り付けた例を示したが、これに限られるものではなく、適宜形態の可動体を揺動アームの延出端部に取り付けることができる。
(１３)  実施例では、揺動アームの屈曲形状によりステージ上方を覆う屋根状部との干渉を回避するよう構成したが、これに限られないことは当然で、揺動アームを遊技盤や設置部材、その他パチンコ機を構成する各種部材との干渉を回避するように構成してもよい。
(１４)  実施例では、揺動アームを第１アーム(第１延出アーム部)から反時計回り方向へ第２アーム(第２演出アーム部)が延出するよう形成したが、左右対称の形態で形成することもできる。
(１５)  実施例では、光透過部材に被覆部(膨出部)および導光部を一体的に形成するよう構成したが、該被覆部(膨出部)および導光部を独立した部材により形成してもよい。
(１６)  実施例では、発光装飾部のケース体(収容ケース体)に形成した傾斜部に貫通孔(露出孔)を開設したが、必ずしも貫通孔を傾斜状に形成する必要はなく、該発光装飾部の配設位置や光の照射方向に応じて、貫通孔の開口方向を適宜に変更することができる。
(１７)  実施例では、発光装飾部のケース体(収容ケース体)に複数(３つ)の貫通孔を形成して、各貫通孔に対応して被覆部、導光部および発光手段(ＬＥＤ)の夫々を設けるようにしたが、これに限られるものではなく、適宜数の貫通孔を形成するようにすればよい。
(１８)  実施例では、前記被覆部に発光意匠部として凸状のレンズ部を形成するようにしたが、これに限られるものではなく、導光部の前側に位置するよう形成すれば任意の形状の発光意匠部を形成することができる。
(１９)  第１〜第４演出装置の配設位置は、実施例に示したものに限られるものではなく、遊技盤や設置部材、その他の遊技機構成部材に対して第１〜第４演出装置を配設することができる。また、第１〜第４演出装置の全ての演出装置を必ずし備えている必要はなく、適宜の演出装置を選択して備えるようにすればよい。
(２０)  実施例では、遊技盤を透明な樹脂材で形成したが、これに限られるものではなく、遊技盤を合板等から不透明に形成するようにしてもよい。
(２１)  実施例では、遊技機としてパチンコ機を例示して説明したが、これに限られるものではなく、アレンジボール機やピンボール機、スロットマシン機等の各種遊技機を採用し得る。
【符号の説明】
【００９７】
５０  第１演出装置(発光演出手段)
５１  第１ケース体(ケース体)
５１ｂ  被識別部
５２ａ  中軸部
５２ｂ  左軸部
５２ｃ  右軸部
５３  光透過孔(貫通孔)
５５  第１駆動モータ(駆動手段)
５６  位置検出センサ
５７ａ  ＬＥＤ(発光手段)
６１  作動ギア部材(回転作動手段、ギア部材)
６１ａ  軸孔
６２  位置検出片
６２ａ  切欠部
６３  指標片
６３ａ  識別部
７１  支持ベース
７２  円盤部
７２ａ  円錐状凹部
７２ｂ  環状凹部
７５  支持壁部
７７  レンズカバー
７７ａ  レンズ開口部(開口部)
８０  凸レンズ
【図１】
0005815440.tif 000002
【図２】
0005815440.tif 000003
【図３】
0005815440.tif 000004
【図４】
0005815440.tif 000005
【図５】
0005815440.tif 000006
【図６】
0005815440.tif 000007
【図７】
0005815440.tif 000008
【図８】
0005815440.tif 000009
【図９】
0005815440.tif 000010
【図１０】
0005815440.tif 000011
【図１１】
0005815440.tif 000012
【図１２】
0005815440.tif 000013
【図１３】
0005815440.tif 000014
【図１４】
0005815440.tif 000015
【図１５】
0005815440.tif 000016
【図１６】
0005815440.tif 000017
【図１７】
0005815440.tif 000018
【図１８】
0005815440.tif 000019
【図１９】
0005815440.tif 000020
【図２０】
0005815440.tif 000021
【図２１】
0005815440.tif 000022
【図２２】
0005815440.tif 000023
【図２３】
0005815440.tif 000024
【図２４】
0005815440.tif 000025
【図２５】
0005815440.tif 000026
【図２６】
0005815440.tif 000027
【図２７】
0005815440.tif 000028
【図２８】
0005815440.tif 000029
【図２９】
0005815440.tif 000030